(57)【特許請求の範囲】
【請求項１】
無線通信システムの通信方法において、
加入者端末との通信に用いるべきアンテナポートのセットならびにスクランブリング識別子（ＳＣＩＤ、ｓｃｒａｍｂｌｉｎｇ  ｉｄｅｎｔｉｆｉｅｒ）を決定するステップと、
前記アンテナポートのセット及び前記ＳＣＩＤを指示する状態値をダウンリンク制御情報（ＤＣＩ、Ｄｏｗｎｌｉｎｋ  Ｃｏｎｔｒｏｌ  Ｉｎｆｏｒｍａｔｉｏｎ）にセッティング（ｓｅｔｔｉｎｇ）するステップと、
前記ＤＣＩを伝送するステップと、
サブフレームの少なくとも１つのリソースブロック（ＲＢ、ｒｅｓｏｕｒｃｅ  ｂｌｏｃｋ）に前記ＳＣＩＤ及び前記アンテナポートのセットに関するデータを伝送するステップと、を含み、
前記アンテナポートのセットに対応する少なくとも１つのレファレンス信号（ＲＳ）は、前記アンテナポートのセットに対応する複数のリソース要素（ＲＥ、ｒｅｓｏｕｒｃｅ  ｅｌｅｍｅｎｔ）にマッピングされ、
前記状態値は、活性化された伝送ブロック（ＴＢ、ｔｒａｎｓｐｏｒｔ  ｂｌｏｃｋ）の数に関係なく３ビットであり、
前記３ビットの状態値は、前記活性化された伝送ブロックの数によって異なる解釈が行われることを特徴とする、無線通信システムの通信方法。
【請求項２】
活性化された伝送ブロック（ＴＢ）の数が１である場合、前記状態値は、４個までのアンテナポートのための３ビットを含むことを特徴とする請求項１に記載の無線通信システムの通信方法。
【請求項３】
前記状態値は、アンテナポートインデックス７及びＳＣＩＤ  ０、アンテナポートインデックス７及びＳＣＩＤ  １、アンテナポートインデックス８及びＳＣＩＤ  ０、アンテナポートインデックス８及びＳＣＩＤ  １、アンテナポートインデックス７、８及びＳＣＩＤ  ０、アンテナポートインデックス７、８、９及びＳＣＩＤ  ０、及びアンテナポートインデックス７、８、９、１０及びＳＣＩＤ  ０のうちの少なくとも一つを含むことを特徴とする請求項２に記載の無線通信システムの通信方法。
【請求項４】
活性化された伝送ブロック（ＴＢ）の数が２である場合、前記状態値は、８個までのアンテナポートのための３ビットを含むことを特徴とする請求項１に記載の無線通信システムの通信方法。
【請求項５】
前記状態値は、次の表のように定義されることを特徴とする請求項４に記載の無線通信システムの通信方法。
【表１】
0005907875.tif 000039
【請求項６】
無線通信システムの加入者端末において、
サブフレームで少なくとも１つの基地局から制御情報及びデータを受信する受信部であって、前記受信部は、サブフレームで複数のリソースブロック（ＲＢ、ｒｅｓｏｕｒｃｅ  ｂｌｏｃｋ）を受信するように構成され、
前記制御情報は、
少なくとも１つのアンテナポートで構成されるアンテナポートのセット及びＳＣＩＤを指示する状態値を含む受信部と、
前記受信部がサブフレームの少なくとも１つのリソースブロック（ＲＢ、ｒｅｓｏｕｒｃｅ  ｂｌｏｃｋ）で前記ＳＣＩＤ及び前記アンテナポートのセットに関するデータを受信するようにし、前記アンテナポートのセットに対応する複数のリソース要素（ＲＥ、ｒｅｓｏｕｒｃｅ  ｅｌｅｍｅｎｔ）を通じて前記アンテナポートのセットに対応する少なくとも１つのレファレンス信号（ＲＳ）を識別するようにする制御部と、を含み、
前記状態値は、活性化された伝送ブロック（ＴＢ、ｔｒａｎｓｐｏｒｔ  ｂｌｏｃｋ）の数に関係なく３ビットであり、
前記３ビットの状態値は、前記活性化された伝送ブロックの数によって異なる解釈が行われることを特徴とする、加入者端末。
【請求項７】
活性化された伝送ブロック（ＴＢ）の数が１である場合、前記状態値は、４個までのアンテナポートのための３ビットを含むことを特徴とする請求項６に記載の加入者端末。
【請求項８】
前記状態値は、アンテナポートインデックス７及びＳＣＩＤ  ０、アンテナポートインデックス７及びＳＣＩＤ  １、アンテナポートインデックス８及びＳＣＩＤ  ０、アンテナポートインデックス８及びＳＣＩＤ  １、アンテナポートインデックス７、８及びＳＣＩＤ  ０、アンテナポートインデックス７、８、９及びＳＣＩＤ  ０、及びアンテナポートインデックス７、８、９、１０及びＳＣＩＤ  ０のうちの少なくとも一つを含むことを特徴とする請求項７に記載の加入者端末。
【請求項９】
活性化された伝送ブロック（ＴＢ）の数が２である場合、前記状態値は、８個までのアンテナポートのための３ビットを含むことを特徴とする請求項６に記載の加入者端末。
【請求項１０】
前記状態値は、次の表のように定義されることを特徴とする請求項９に記載の加入者端末。
【表２】
0005907875.tif 000040
【請求項１１】
無線通信システムの基地局において、
制御情報及びデータをサブフレームで少なくとも１つの加入者端末に伝送するようにする送信機を含み、
前記制御情報の伝送は、
加入者端末との通信に用いるべきアンテナポートのセットならびにスクランブリング識別子（ＳＣＩＤ、ｓｃｒａｍｂｌｉｎｇ ｉｄｅｎｔｉｆｉｅｒ）を決定するステップと、
前記アンテナポートのセット及び前記ＳＣＩＤを指示する状態値をダウンリンク制御情報（ＤＣＩ、Ｄｏｗｎｌｉｎｋ  Ｃｏｎｔｒｏｌ  Ｉｎｆｏｒｍａｔｉｏｎ）にセッティング（ｓｅｔｔｉｎｇ）するステップと、
前記ＤＣＩを伝送するステップと、を含み、
前記データの伝送は、
サブフレームの少なくとも１つのリソースブロック（ＲＢ、ｒｅｓｏｕｒｃｅ  ｂｌｏｃｋ）に前記ＳＣＩＤ及び前記アンテナポートのセットに関するデータを伝送するステップを含み、
前記アンテナポートのセットに対応する少なくとも１つのレファレンス信号（ＲＳ）は、前記アンテナポートのセットに対応する複数のリソース要素（ＲＥ、ｒｅｓｏｕｒｃｅ  ｅｌｅｍｅｎｔ）にマッピングされ、
前記状態値は、活性化された伝送ブロック（ＴＢ、ｔｒａｎｓｐｏｒｔ  ｂｌｏｃｋ）の数に関係なく３ビットであり、
前記３ビットの状態値は、前記活性化された伝送ブロックの数によって異なる解釈が行われることを特徴とする、基地局。
【請求項１２】
活性化された伝送ブロック（ＴＢ、ｔｒａｎｓｐｏｒｔ  ｂｌｏｃｋ）の数が１である場合、前記状態値は、４個までのアンテナポートのための３ビットを含むことを特徴とする請求項１１に記載の基地局。
【請求項１３】
前記状態値は、アンテナポートインデックス７及びＳＣＩＤ  ０、アンテナポートインデックス７及びＳＣＩＤ  １、アンテナポートインデックス８及びＳＣＩＤ  ０、アンテナポートインデックス８及びＳＣＩＤ  １、アンテナポートインデックス７、８及びＳＣＩＤ  ０、アンテナポートインデックス７、８、９及びＳＣＩＤ  ０、及びアンテナポートインデックス７、８、９、１０及びＳＣＩＤ  ０のうちの少なくとも一つを含むことを特徴とする請求項１２に記載の基地局。
【請求項１４】
活性化された伝送ブロック（ＴＢ）の数が２である場合、前記状態値は、８個までのアンテナポートのための３ビットを含むことを特徴とする請求項１１に記載の基地局。
【請求項１５】
前記状態値は、次の表のように定義されることを特徴とする請求項１４に記載の基地局。
【表３】
0005907875.tif 000041
【発明の詳細な説明】
【技術分野】
【０００１】
本発明は、一般的に無線通信システムに関し、より詳細には、多重ユーザ多重入力多重出力（ＭＵ−ＭＩＭＯ、ｍｕｌｔｉ−ｕｓｅｒ ｍｕｌｔｉｐｌｅ ｉｎｐｕｔ ｍｕｌｔｉｐｌｅ ｏｕｔｐｕｔ）システムにおいてダウンリンクレファレンス信号（ＤＲＳ、ｄｏｗｎｌｉｎｋ ｒｅｆｅｒｅｎｃｅ ｓｉｇｎａｌｓ）を伝送するためのシステム及び方法に関する。
【背景技術】
【０００２】
近年、通信は、高いデータ速度と性能を要求する。また、多重要素アンテナ（ＭＥＡ、ｍｕｌｔｉｐｌｅ−ｅｌｅｍｅｎｔ ａｎｔｅｎｎａ）システムとして知られた多重入力多重出力（ＭＩＭＯ）アンテナシステムは、送信機及び受信機の両方で、またはその他の場合、トランシーバで、空間またはアンテナダイバシティを利用して割り当てられた無線周波数（ＲＦ）チャネル帯域幅より大きいスペクトル効率を達成する。
【０００３】
多重入力多重出力（ＭＩＭＯ）システムにおいて複数のデータストリーム各々は、互いに異なる物理アンテナまたは有効アンテナによってプリコードされ、伝送される前に、個別的にマッピングされ変調される。その後、結合されたデータストリームは、受信機の様々なアンテナで受信される。受信機では、各データストリームが結合された信号から分離して抽出される。この過程は、一般的に最小平均２乗誤差（ＭＭＳＥ、ｍｉｎｉｍｕｍ  ｍｅａｎ  ｓｑｕａｒｅｄ  ｅｒｒｏｒ）や最小平均２乗誤差−連続干渉取消（ＭＭＳＥ−ＳＩＣ、ｍｉｎｉｍｕｍ ｍｅａｎ ｓｑｕａｒｅｄ ｅｒｒｏｒ−ｓｕｃｃｅｓｓｉｖｅ ｉｎｔｅｒｆｅｒｅｎｃｅ ｃａｎｃｅｌｌａｔｉｏｎ）アルゴリズムを利用して行われる。
【０００４】
追加的に、ダウンリンク物理信号は、物理階層によって使用されるリソース要素のセットに対応する。しかし、ダウンリンク物理信号は、上位階層から由来する情報を伝達しない。次のようにダウンリンク物理信号が定義される、つまり、同期信号とレファレンス信号である。
【０００５】
レファレンス信号（ＲＳ、Ｒｅｆｅｒｅｎｃｅ ｓｉｇｎａｌｓ）は、スロットのよく定義された直交周波数分割（ＯＦＤＭ、Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）シンボル位置で伝送される既存のシンボルで構成される。これは、受信された信号のチャネル歪みを補償するためのチャネルインパルス応答を推定するにあたって、ユーザターミナルで受信機を助ける。ダウンリンクアンテナポート当たり伝送される１つのレファレンス信号が存在し、１つのアンテナポートに対して排他的シンボル位置が割り当てられる（１つのアンテナポートがレファレンス信号を伝送する時、他のポートは、サイレント（伝送しない））。レファレンス信号（ＲＳ、Ｒｅｆｅｒｅｎｃｅ ｓｉｇｎａｌｓ）は、既存の物理チャネルのインパルス応答を決定するのに使用される。
【発明の概要】
【発明が解決しようとする課題】
【０００６】
したがって、本発明の目的は、ＭＩＭＯシステムにおいてダウンリンクレファレンス信号を伝送するための方法を提供することにある。
【課題を解決するための手段】
【０００７】
無線通信ネットワーク用に、複数の加入者端末と通信するための方法を提供する。この方法は、制御情報及びデータをサブフレームにおいて、複数の加入者端末の内の少なくとも１つに伝送するステップを含む。少なくとも前記複数の加入者端末の内の少なくとも１つと通信するのに使用するためのレファレンス信号（ＲＳ、ｒｅｆｅｒｅｎｃｅ ｓｉｇｎａｌ）パターンセットを識別するステップを含む。追加で、状態は、前記複数の加入者端末の内の少なくとも１つに対して割り当てられる。ここで、前記状態は、レファレンス信号（ＲＳ）パターンセット内でアンテナポート（ＡＰ、Ａｎｔｅｎｎａ ｐｏｒｔ）番号のサブセットを含むことを特徴とする。また、前記制御情報の伝送は、ダウンリンク制御情報（ＤＣＩ、Ｄｏｗｎｌｉｎｋ Ｃｏｎｔｒｏｌ Ｉｎｆｏｒｍａｔｉｏｎ）フォーマットに割り当てられた状態（ａｓｓｉｇｎｅｄ ｓｔａｔｅ）を示すステップを含み、前記ダウンリンク制御情報（ＤＣＩ）フォーマットは、物理ダウンリンク制御チャネル（ＰＤＣＣＨ、Ｐｈｙｓｉｃａｌ Ｄｏｗｎｌｉｎｋ Ｃｏｎｔｒｏｌ Ｃｈａｎｎｅｌ）に伝送されることを特徴とする。前記データの伝送は、サブフレームで複数のリソースブロック（ＲＢ、ｒｅｓｏｕｒｃｅ ｂｌｏｃｋ）を伝送するステップを含む。また、データの伝送は、アンテナポート番号のサブセットに対応するアンテナポートのサブセットを利用してデータを伝送する。データの伝送は、レファレンス信号（ＲＳ）パターンのセット内で少なくとも１つのレファレンス信号（ＲＳ）パターンによるアンテナポートのサブセットに対応するレファレンス信号（ＲＳ）をマッピングするステップを含む。
【０００８】
複数の基地局と通信することができる加入者端末が提供される。加入者端末は、サブフレームで複数の基地局のうち少なくとも１つから制御情報及びデータを受信する受信機を含む。前記受信機は、サブフレームで複数のリソースブロック（ＲＳ、ｒｅｓｏｕｒｃｅ ｂｌｏｃｋ）を受信するように構成される。前記制御情報は、前記複数の基地局のうち少なくとも１つと通信するのに使用するためのレファレンス信号（ＲＳ、ｒｅｆｅｒｅｎｃｅ ｓｉｇｎａｌ）パターンセットを識別し、加入者端末に対して状態を割り当てて構成される。前記状態は、レファレンス信号（ＲＳ）パターン内でアンテナポート番号のサブセットを含み、前記割り当てられた状態は、物理ダウンリンク制御チャネル（ＰＤＣＣＨ、Ｐｈｙｓｉｃａｌ Ｄｏｗｎｌｉｎｋ Ｃｏｎｔｒｏｌ Ｃｈａｎｎｅｌ）で伝送されるダウンリンク制御情報（ＤＣＩ、Ｄｏｗｎｌｉｎｋ Ｃｏｎｔｒｏｌ Ｉｎｆｏｒｍａｔｉｏｎ）フォーマットで指示されている。加入者端末は、制御機を含む。前記制御機は、前記受信機がアンテナポート番号のサブセットに対応するアンテナポートのサブセットを利用するデータを受信するようにし、レファレンス信号（ＲＳ）パターンのセット内で少なくとも１つのレファレンス信号（ＲＳ）パターンによってマッピングされたアンテナポートのサブセットに対応するレファレンス信号（ＲＳ）を識別するようにする。
【０００９】
複数の加入者端末と通信することができる基地局が提供される。基地局は、制御情報及びデータをサブフレームで少なくとも１つの複数の加入者端末に伝送するように構成された回路を含む伝送経路を含む。前記制御情報は、少なくとも１つの前記複数の加入者端末と通信するのに使用するためのレファレンス信号（ＲＳ、ｒｅｆｅｒｅｎｃｅ ｓｉｇｎａｌ）パターンセットを識別するステップと、少なくとも１つの前記複数の加入者端末に対して状態を割り当てるステップであって、前記状態は、レファレンス信号（ＲＳ）パターンセット内でアンテナポート（ＡＰ）番号のサブセットを含む、割り当てるステップと、ダウンリンク制御情報（ＤＣＩ、Ｄｏｗｎｌｉｎｋ Ｃｏｎｔｒｏｌ Ｉｎｆｏｒｍａｔｉｏｎ）フォーマットに割り当てられた状態を示すステップを通じて構成され、前記ダウンリンク制御情報（ＤＣＩ）フォーマットは、物理ダウンリンク制御チャネル（ＰＤＣＣＨ、Ｐｈｙｓｉｃａｌ Ｄｏｗｎｌｉｎｋ Ｃｏｎｔｒｏｌ Ｃｈａｎｎｅｌ）に伝送されることを特徴とする。前記伝送経路は、サブフレームで複数のリソースブロック（ＲＢ、Ｒｅｓｏｕｒｃｅ Ｂｌｏｃｋ）を伝送し、アンテナポート番号のサブセットに対応するアンテナポートのサブセットを利用するデータを伝送し、レファレンス信号（ＲＳ）パターンのセット内の少なくとも１つのレファレンス信号（ＲＳ）パターンによってアンテナポートのサブセットに対応するレファレンス信号（ＲＳ）をマッピングすることを特徴とする。
【００１０】
下記のような本発明の詳細な説明に入るに先立って、本特許文献全体にわたって使用される任意の単語、そして構文の一部に対する定義について説明するのが有用であろう。用語“含む（ｉｎｃｌｕｄｅ）”、そして“含む（ｃｏｍｐｒｉｓｅ）”は、それから派生したものと共に、制限なしに含まれることを意味する。用語“または（ｏｒ）”は、及び／または（ａｎｄ／ｏｒ）の意味を含むことができる。構文“それと関連した（ａｓｓｏｃｉａｔｅｄ ｗｉｔｈ）”そして“それとともに関連した（ａｓｓｏｃｉａｔｅｄ ｔｈｅｒｅｗｉｔｈ）”は、それから派生したものと共に、含む（ｉｎｃｌｕｄｅ）、その中に含まれる（ｂｅ ｉｎｃｌｕｄｅｄ ｗｉｔｈｉｎ）、互いに連結する（ｉｎｔｅｒｃｏｎｎｅｃｔ ｗｉｔｈ）、含む（ｃｏｎｔａｉｎ）、内に含まれる（ｂｅ ｃｏｎｔａｉｎｅｄ ｗｉｔｈｉｎ）、〜にまたは〜と連結する（ｃｏｎｎｅｃｔ ｔｏ ｏｒ ｗｉｔｈ）、〜または〜と対で連結する（ｃｏｕｐｌｅ ｔｏ ｏｒ ｗｉｔｈ）、〜と通信することができる（ｂｅ ｃｏｍｍｕｎｉｃａｂｌｅ ｗｉｔｈ）、〜に協力する（ｃｏｏｐｅｒａｔｅ ｗｉｔｈ）、挟みこむ（ｉｎｔｅｒｌｅａｖｅ）、並置する（ｊｕｘｔａｐｏｓｅ）、〜に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、何の資産を有する（ｈａｖｅ ａ ｐｒｏｐｅｒｔｙ ｏｆ）などの意味になることができる。用語“制御機（ｃｏｎｔｒｏｌｌｅｒ）”は、ハードウェア、ファームウエア、ソフトウェアまたは前述したもの（ハードウェア、ファームウエア、ソフトウェア）のうち少なくとも２個の組合で具現されるそのような装置の少なくとも１つの動作を制御する任意の装置、システムまたはそれらの一部を意味する。ある個別制御機に関連した機能は、近接、または遠隔で、中央集中されるか、または分散されることができることに留意しなければならない。単語及び構文に対する定義は、この特許文献全体にわたって提供され、この技術分野における通常の知識を有する者は、多くの場合に、あるいは、大部分の場合で、そのように定義された単語と構文の今後の使用と共に、先立って適用されたそのような定義を理解することができる。
【発明の効果】
【００１１】
以上説明したように、本発明の実施形態によれば、本発明の無線通信システムにおいて、基地局（ＢＳ、ｂａｓｅ ｓｔａｔｉｏｎ）は、複数の加入者端末（ＳＳ、ｓｕｂｓｃｒｉｂｅｒ ｓｔａｔｉｏｎ）と通信することができる。
【００１２】
以下では、本発明の実施形態と本発明の利点に対するさらなる明確な理解のために、添付の図面と共に、それについての説明を行う。なお、図面での同一の参照番号は、同一の部分を示す。
【図面の簡単な説明】
【００１３】
【図１】本発明の実施形態によるＡＣＫ／ＮＡＣＫメッセージを伝送する例示的な無線ネットワークを示す図である。
【図２Ａ】本発明の実施形態による直交周波数分割多重化（ＯＦＤＭＡ、Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）伝送経路の上位階層図面である。
【図２Ｂ】本発明の実施形態による直交周波数分割多重化（ＯＦＤＭＡ、ＯｒｔｈｏｇｏｎａｌＦｒｅｑｕｅｎｃｙＤｉｖｉｓｉｏｎＭｕｌｔｉｐｌｅＡｃｃｅｓｓ）受信経路の上位階層図面である。
【図３】本発明の実施形態による無線加入者端末（ｗｉｒｅｌｅｓｓ ｓｕｂｓｃｒｉｂｅｒ ｓｔａｔｉｏｎ）の実施形態を示すブロック図である。
【図４Ａ】本発明の実施形態によるダウンリンクレファレンス信号（ＤＲＳ、Ｄｏｗｎｌｉｎｋ Ｒｅｆｅｒｅｎｃｅ Ｓｉｇｎａｌｓ）に対するランク（ｒａｎｋ）パターンを示す図である。
【図４Ｂ】本発明の実施形態によるダウンリンクレファレンス信号（ＤＲＳ、Ｄｏｗｎｌｉｎｋ Ｒｅｆｅｒｅｎｃｅ Ｓｉｇｎａｌｓ）に対するランク（ｒａｎｋ）パターンを示す図である。
【図４Ｃ】本発明の実施形態によるダウンリンクレファレンス信号（ＤＲＳ、Ｄｏｗｎｌｉｎｋ Ｒｅｆｅｒｅｎｃｅ Ｓｉｇｎａｌｓ）に対するランク（ｒａｎｋ）パターンを示す図である。
【図４Ｄ】本発明の実施形態によるダウンリンクレファレンス信号（ＤＲＳ、Ｄｏｗｎｌｉｎｋ Ｒｅｆｅｒｅｎｃｅ Ｓｉｇｎａｌｓ）に対するランク（ｒａｎｋ）パターンを示す図である。
【図４Ｅ】本発明の実施形態によるダウンリンクレファレンス信号（ＤＲＳ、Ｄｏｗｎｌｉｎｋ Ｒｅｆｅｒｅｎｃｅ Ｓｉｇｎａｌｓ）に対するランク（ｒａｎｋ）パターンを示す図である。
【図５Ａ】本発明の実施形態による多重ユーザ多重入力多重出力（ＭＵ−ＭＩＭＯ、Ｍｕｌｔｉ−Ｕｓｅｒ Ｍｕｌｔｉ−Ｉｎｐｕｔ Ｍｕｌｔｉ−Ｏｕｔｐｕｔ）モードで２個の加入者端末に対して加入者端末の動作を示す図である。
【図５Ｂ】本発明の実施形態による多重ユーザ多重入力多重出力（ＭＵ−ＭＩＭＯ、Ｍｕｌｔｉ−Ｕｓｅｒ Ｍｕｌｔｉ−Ｉｎｐｕｔ Ｍｕｌｔｉ−Ｏｕｔｐｕｔ）モードで２個の加入者端末に対して加入者端末の動作を示す図である。
【図６】本発明の実施形態によるサブフレーム内でリソースブロック（ＲＢ、ｒｅｓｏｕｒｃｅ ｂｌｏｃｋ）使用の例を示す図である。
【図７Ａ】本発明の実施形態による加入者端末の動作の実施形態を示す図である。
【図７Ｂ】本発明の実施形態による加入者端末の動作の実施形態を示す図である。
【図８】本発明の実施形態によるランク４パターンで各ＣＤＭセットに関連した状態を示す図である。
【図９Ａ】本発明の実施形態による向上した加入者端末（ａｄｖａｎｃｅｄ ｓｕｂｓｃｒｉｂｅｒ ｓｔａｔｉｏｎ）及びレガシー加入者端末（ｌｅｇａｃｙ ｓｕｂｓｃｒｉｂｅｒ ｓｔａｔｉｏｎ）にマッピングされる認識された資源の実施形態を示す図である。
【図９Ｂ】本発明の実施形態による向上した加入者端末（ａｄｖａｎｃｅｄ ｓｕｂｓｃｒｉｂｅｒ ｓｔａｔｉｏｎ）及びレガシー加入者端末（ｌｅｇａｃｙ ｓｕｂｓｃｒｉｂｅｒ ｓｔａｔｉｏｎ）にマッピングされる認識された資源の実施形態を示す図である。
【図１０】本発明の実施形態によるダウンリンク制御情報（ＤＣＩ）フォーマット２Ｂを示す図である。
【図１１】本発明の実施形態によるダウンリンク制御情報（ＤＣＩ）フォーマット２Ｃを示す図である。
【図１２】本発明の実施形態によるＤＭ ＲＳアンテナポート指示プロセスを示すフローチャートである。
【図１３】本発明の実施形態によるＤＭ ＲＳアンテナポート受信プロセスを示すフローチャートである。
【図１４】本発明の他の実施形態によるダウンリンク制御情報（ＤＣＩ）フォーマット２Ｃを示す図である。
【発明を実施するための形態】
【００１４】
以下で説明する図１から図１４及び本特許文献で提示される発明の原理を説明するために使用される多様な実施形態は、その実施形態を説明するための方法によるものであって、本発明の範囲を限定するための他の意味に解釈してはならない。この技術分野における通常の知識を有する者なら本発明の原理が適合に適用されるいずれの無線通信システムにおいても具現されることができることを理解することができる。
【００１５】
図１は、例示的な無線ネットワーク１００を示す。これは、本発明の原理によってＡＣＫ／ＮＡＣＫメッセージを伝送する。説明される実施形態では、無線ネットワーク１００は、基地局（ＢＳ、ｂａｓｅ ｓｔａｔｉｏｎ）１０１、基地局（ＢＳ）１０２、基地局（ＢＳ）１０３及び他の類似の基地局（図示せず）を含む。基地局１０１は、、基地局１０２及び基地局１０３と通信する。基地局１０１は、また、インターネット１３０または類似のＩＰ基盤ネットワーク（図示せず）と通信する。
【００１６】
基地局１０２は、基地局１０２のカバレッジ領域１２０内で複数の第１加入者端末（ＳＳ、ｓｕｂｓｃｒｉｂｅｒ ｓｔａｔｉｏｎｓ）にインターネット１３０に対する無線広帯域接続（ｗｉｒｅｌｅｓｓ ｂｒｏａｄｂａｎｄ ａｃｃｅｓｓ）を（基地局１０１を介して）提供する。複数の第１加入者端末は、小企業（ＳＢ、ｓｍａｌｌ ｂｕｓｉｎｅｓｓ）に位置し得る加入者端末１１１、大企業（Ｅ、ｅｎｔｅｒｐｒｉｓｅ）に位置し得る加入者端末１１２、ワイファイ（ＷｉＦｉ、ｗｉｒｅｌｅｓｓ ｆｉｄｅｌｉｔｙ）ホットスポット（ＨＳ、ｈｏｔ ｓｐｏｔ）に位置し得る加入者端末１１３、第１居住地（Ｒ、ｒｅｓｉｄｅｎｃｅ）に位置し得る加入者端末１１４、第２居住地（Ｒ、ｒｅｓｉｄｅｎｃｅ）に位置し得る加入者端末１１５、及びセルラフォン、無線ラップトップ、無線携帯情報端末機（ＰＤＡ、ｐｅｒｓｏｎａｌ ｄｉｇｉｔａｌ ａｓｓｉｓｔａｎｔ）などのようなモバイル装置（Ｍ）になり得る加入者端末１１６を含む。
【００１７】
基地局１０３は、基地局１０３のカバレッジ領域１２５内で複数の第２加入者端末（ＳＳ、ｓｕｂｓｃｒｉｂｅｒ ｓｔａｔｉｏｎ）にインターネット１３０に対する無線広帯域接続（ｗｉｒｅｌｅｓｓ ｂｒｏａｄｂａｎｄ ａｃｃｅｓｓ）を（基地局１０１を介して）提供する。複数の第２加入者端末は、加入者端末１１５及び加入者端末１１６を含む。本発明の実施形態で、基地局１０１から１０３は、直交周波数分割（ＯＦＤＭ、Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）または直交周波数分割多重接続（ＯＦＤＭＡ、Ｏｒｔｈｏｇｏｎａｌ ｆｒｅｑｕｅｎｃｙ−ｄｉｖｉｓｉｏｎ ｍｕｌｔｉｐｌｅ ａｃｃｅｓｓ）技術を利用して互いにそして加入者端末１１１〜１１６と通信することができる。
【００１８】
基地局１０１は、より多い数またはより少ない数の基地局と通信することもできる。さらに、図１にはただ６個の加入者端末のみが図示されたが、無線ネットワーク１００は、追加の加入者端末に無線広帯域接続を提供することができることに理解しなければならない。加入者端末１１５及び加入者端末１１６がカバレッジ領域１２０及びカバレッジ領域１２５の両方のエッジ（ｅｄｇｅｓ）に位置することに留意しなければならない。加入者端末１１５及び加入者端末１１６の各々は、基地局１０２及び基地局１０３の両方と通信し、この技術分野における通常の知識を有する者に知られているハンドオフ（ｈａｎｄｏｆｆ）モードで動作が行われることができる。
【００１９】
加入者端末１１１〜１１６は、インターネット１３０を介して音声、データ、ビデオ、ビデオ会議及び／または他の広帯域サービスに接続することができる。本発明の実施形態で、１つ以上の加入者端末１１１〜１１６は、ワイファイ（ＷｉＦｉ）無線ラン（ＷＬＡＮ、Ｗｉｒｅｌｅｓｓ Ｌｏｃａｌ Ａｒｅａ Ｎｅｔｗｏｒｋ）のアクセスポイント（ＡＰ、ａｃｃｅｓｓ ｐｏｉｎｔ）に関連することができる。加入者端末１１６は、無線通信可能なラップトップコンピュータ、ＰＤＡ（ｐｅｒｓｏｎａｌ ｄａｔａ ａｓｓｉｓｔａｎｔ）、ノートパソコン、携帯用装置または他の無線通信可能な装置を含む多数のモバイル装置のうちいずれかになることができる。加入者端末１１４及び加入者端末１１５は、例えば、無線通信可能なパーソナルコンピュータ（ＰＣ）、ラップトップコンピュータ、ゲートウェー、または他の装置になることができる。
【００２０】
図２Ａは、ＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）伝送経路の上位階層図である。図２Ｂは、ＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）受信経路の上位階層図である。図２Ａ及び図２Ｂで、ＯＦＤＭＡ伝送経路は、基地局（ＢＳ）１０２で具現され、ＯＦＤＭＡ受信経路は、図示及び説明の目的のために加入者端末（ＳＳ）１１６で具現される。しかし、ＯＦＤＭＡ受信経路が基地局１０２で具現されることができ、ＯＦＤＭＡ伝送経路が加入者端末１１６で具現されることができることは、この技術分野における通常の知識を有する者によって理解される。
【００２１】
基地局１０２で伝送経路は、チャネルコーディング及び変調ブロック２０５、直列並列変換（Ｓ−ｔｏ−Ｐ、ｓｅｒｉａｌ−ｔｏ−ｐａｒａｌｌｅｌ）ブロック２１０、サイズＮ逆高速フーリエ変換（ＩＦＦＴ、Ｉｎｖｅｒｓｅ Ｆａｓｔ Ｆｏｕｒｉｅｒ Ｔｒａｎｓｆｏｒｍ）ブロック２１５、並列直列変換（Ｐ−ｔｏ−Ｓ、ｐａｒａｌｌｅｌ−ｔｏ−ｓｅｒｉａｌ）ブロック２２０、循環前置追加（ａｄｄ ｃｙｃｌｉｃ ｐｒｅｆｉｘ）ブロック２２５、アップコンバータ（ＵＣ、ｕｐ−ｃｏｎｖｅｒｔｅｒ）２３０、レファレンス信号多重化装置２９０、及びレファレンス信号割り当て装置２９５を含む。加入者端末（ＳＳ）１１６で受信経路は、ダウンコンバータ（ＤＣ、ｄｏｗｎ−ｃｏｎｖｅｒｔｅｒ）２５５、循環前置除去ブロック２６０、直列並列変換（Ｓ−ｔｏ−Ｐ、ｓｅｒｉａｌ−ｔｏ−ｐａｒａｌｌｅｌ）ブロック２６５、サイズＮ高速フーリエ変換（ＦＦＴ、Ｆａｓｔ Ｆｏｕｒｉｅｒ Ｔｒａｎｓｆｏｒｍ）ブロック２７０、並列直列変換（Ｐ−ｔｏ−Ｓ、ｐａｒａｌｌｅｌ−ｔｏ−ｓｅｒｉａｌ）ブロック２７５、チャネルデコーディング及び復調ブロック２８０を含む。
【００２２】
図２Ａ及び図２Ｂで少なくとも一部のコンポネントは、ソフトウェア上で具現されることができる。一方、他のコンポネントは、構成可能なハードウェアまたはソフトウェア及び構成可能なハードウェアの混合によって具現されることもできる。個別的に、本発明の実施形態で説明される（ＦＦＴ）ブロック及び（ＩＦＦＴ）ブロックは、サイズＮの値が具現によって操作されることができる構成可能なソフトウェアアルゴリズムで具現されることができる。
【００２３】
さらに、本発明が高速フーリエ変換（ＦＦＴ）及び逆高速フーリエ変換（ＩＦＦＴ）を具現する実施形態を対象としているとしても、これは、ただ説明するための方法として使用されたものであって、本発明の範囲を制限するものに理解してはならない。本発明の代案的実施形態で、高速フーリエ変換機能及び逆高速フーリエ変換機能は、各々離散フーリエ変換（ＤＦＴ、Ｄｉｓｃｒｅｔｅ Ｆｏｕｒｉｅｒ Ｔｒａｎｓｆｏｒｍ）機能及び逆離散フーリエ変換（ＩＤＦＴ、Ｉｎｖｅｒｓｅ Ｄｉｓｃｒｅｔｅ Ｆｏｕｒｉｅｒ Ｔｒａｎｓｆｏｒｍ）で簡単に交替されることができるという点を理解しなければならない。離散フーリエ変換ＤＦＴ及び逆離散フーリエ変換ＩＤＦＴに対して、変数Ｎの値は、任意の整数（例えば、１、２、３、４など）になることができ、一方、高速フーリエ変換（ＦＦＴ）及び逆高速フーリエ変換（ＩＦＦＴ）に対して、変数Ｎの値は、２累乗（１、２、４．８、１６など）である任意の整数になることができることを理解しなければならない。
【００２４】
基地局１０２で、チャネルコーディング及び変調ブロック２０５は、情報ビットのセットを受信し、周波数領域（ｆｒｅｑｕｅｎｃｙ−ｄｏｍａｉｎ）変調シンボルを生成するために入力ビットにコーディング（例えば、低密度パリティー検査（ＬＤＰＣ、Ｌｏｗ Ｄｅｎｓｉｔｙ Ｐａｒｉｔｙ Ｃｈｅｃｋ）コーディング）を適用し、変調（例えば、ＱＰＳＫ（ｑｕａｄｒａｔｕｒｅ ｐｈａｓｅ ｓｈｉｆｔ ｋｅｙｉｎｇ）、ＱＡＭ（ｑｕａｄｒａｔｕｒｅ ａｍｐｌｉｔｕｄｅ ｍｏｄｕｌａｔｉｏｎ）する。直列並列変換（Ｓ−ｔｏ−Ｐ、ｓｅｒｉａｌ−ｔｏ−ｐａｒａｌｌｅｌ）ブロック２１０は、直列の変調されたシンボルを並列のデータに変換（例えば、逆多重化（ｄｅ−ｍｕｌｔｉｐｌｅｘ））し、Ｎ個の並列シンボルストリームを生成する。ここで、Ｎは、基地局１０２及び加入者端末１１６で使用されるＩＦＦＴ／ＦＦＴサイズである。その後、サイズＮ ＩＦＦＴブロック２１５は、Ｎ個の並列シンボルストリーム上でＩＦＦＴ動作を行い、時間領域（ｔｉｍｅ−ｄｏｍａｉｎ）出力信号を生成する。並列直列変換（Ｐ−ｔｏ−Ｓ、ｐａｒａｌｌｅｌ−ｔｏ−ｓｅｒｉａｌ）ブロック２２０は、サイズＮ ＩＦＦＴブロック２１５からの並列の時間領域出力シンボルを変換多重化（ｍｕｌｔｉｐｌｅｘ）し、直列の時間領域信号を生成する。次に、循環前置追加ブロック２２５は、循環前置（ＣＰ、ｃｙｃｌｉｃ ｐｒｅｆｉｘ）を時間領域信号に挿入する。最後に、アップコンバータ２３０は、循環前置追加ブロック２２５の出力を変調（例えば、アップコンバータ（ｕｐ−ｃｏｎｖｅｒｔ））し、無線チャネルを介して伝送するためのＲＦ周波数にアップコンバートさせる。この信号は、また、ＲＦ周波数に変調される前、基底帯域（ｂａｓｅｂａｎｄ）でフィルタリングされることができる。いくつかの実施形態で、レファレンス信号多重化２９０は、コード分割多重化（ＣＤＭ、ｃｏｄｅ ｄｉｖｉｓｉｏｎ ｍｕｌｔｉｐｌｅｘｉｎｇ）または時間／周波数分割多重化（ＴＦＤＭ、ｔｉｍｅ／ｆｒｅｑｕｅｎｃｙ ｄｉｖｉｓｉｏｎ ｍｕｌｔｉｐｌｅｘｉｎｇ）を利用してレファレンス信号を多重化するように動作する。レファレンス信号割り当て装置２９５は、本発明の実施形態に開示された方法及びシステムによってＯＦＤＭ信号でレファレンス信号を動的に割り当てるように動作する。
【００２５】
基地局１０２は、そのすべてのアンテナポートまたはアンテナポートのサブセットを使用可能化（活性化）させることができる。例えば、基地局１０２が８個のアンテナポートを含む時、基地局１０２は、加入者端末に情報を伝送するのに使用するために４個のアンテナポートを活性化することができる。４個のアンテナポートを活性化した基地局１０２の説明は、ただ例示的な目的であり、どんな数のアンテナポートでも活性化されることができることを理解しなければならない。
【００２６】
伝送されたＲＦ信号は、無線チャネルを通過した後、加入者端末１１６に到着し、基地局１０２で行われたそのような一連の手続に逆順の手続が行われる。ダウンコンバータ２５５は、受信された信号を基底帯域周波数にダウンコンバートし、循環前置除去ブロック２６０は、循環前置（ＣＰ）を除去し、直列の時間領域基底帯域信号を生成する。直列並列変換（Ｓ−ｔｏ−Ｐ、ｓｅｒｉａｌ−ｔｏ−ｐａｒａｌｌｅｌ）ブロック２６５は、直列の時間領域基底帯域信号を並列の時間領域信号に変換する。その後、サイズＮ高速フーリエ変換（ＦＦＴ、Ｆａｓｔ Ｆｏｕｒｉｅｒ Ｔｒａｎｓｆｏｒｍ）ブロック２７０は、ＦＦＴアルゴリズムを行い、Ｎ個の並列の周波数領域信号を生成する。並列直列変換（Ｐ−ｔｏ−Ｓ、ｐａｒａｌｌｅｌ−ｔｏ−ｓｅｒｉａｌ）ブロック２７５は、並列の周波数領域信号を変調されたデータシンボルのシーケンスに変換する。チャネルデコーディング及び復調ブロック２８０は、変調されたシンボルを復調し、その後、デコーディングし、元々の入力データストリームを復元する。
【００２７】
基地局１０１〜１０３の各々は、加入者端末１１１〜１１６にダウンリンクで伝送されるものと類似の伝送経路を具現することができ、加入者端末１１１〜１１６からアップリンクで受信されるものと類似の受信経路を具現することができる。同様に、加入者端末１１１〜１１６の各々は、アップリンクで基地局１０１〜１０３に伝送するためのアキテクチャーに対応する伝送経路を具現することができ、ダウンリンクで基地局１０１〜１０３から受信するためのアキテクチャーに対応する受信経路を具現することもできる。
【００２８】
図３は、本発明の実施形態による無線加入者端末の実施形態を示す。図３に示された無線加入者端末１１６の実施形態は、ただ説明するための用途に過ぎない。無線加入者端末１１６の他の実施形態は、本発明の範囲を逸脱することなく使用されることができる。
【００２９】
無線加入者端末１１６は、アンテナ３０５、ＲＦ（ｒａｄｉｏ ｆｒｅｑｕｅｎｃｙ）トランシーバ（ｔｒａｎｓｃｅｉｖｅｒ）３１０、伝送（ＴＸ）処理回路３１５、マイクロフォン３２０及び受信（ＲＸ）処理回路３２５を含む。加入者端末１１６は、また、スピーカー３３０、メインプロセッサ３４０、入出力インターフェース（Ｉ／Ｏ ＩＦ、ｉｎｐｕｔ／ｏｕｔｐｕｔ ｉｎｔｅｒｆａｃｅ）３４５、キーパッド３５０、ディスプレイ３５５及びメモリ３６０を含む。メモリ３６０は、基本運営システム（ＯＳ、ｏｐｅｒａｔｉｏｎ ｓｙｓｔｅｍ）プログラム３６１及び複数のアプリケーション３６２をさらに含む。
【００３０】
ＲＦ（Ｒａｄｉｏ ｆｒｅｑｕｅｎｃｙ）トランシーバ３１０は、無線ネットワーク１００の基地局によって伝送されて受信されるＲＦ信号をアンテナ３０５から受信する。ＲＦトランシーバ３１０は、中間周波数（ＩＦ、ｉｎｔｅｒｍｅｄｉａｔｅ ｆｒｅｑｕｅｎｃｙ）または基底帯域（ＢＢ、ｂａｓｅｂａｎｄ）信号を生成するために受信されるＲＦ信号をダウンコンバートする。中間周波数または基底帯域信号は、受信（ＲＸ）処理回路３２５に伝送され、受信処理回路３２５は、基底帯域または中間周波数信号をフィルタリングし、デコーディング及び／またはデジタル化（ｄｉｇｉｔｉｚｉｎｇ）し、処理された基底帯域信号を生成する。 受信（ＲＸ）処理回路３２５は、処理された基底帯域信号をスピーカー３３０に伝送するか（例えば、音声データ）、または、追加処理のためにメインプロセッサ３４０に伝送する（例えば、ウェブブラウジング）。
【００３１】
伝送処理回路３１５は、マイクロフォン３２０からアナログまたはデジタル音声データを受信する。または伝送処理回路３１５は、メインプロセッサ３４０から他の伝送される基底帯域データ（例えば、ウェブデータ、電子メール、インタラクティブビデオゲームデータ）を受信する。伝送処理回路３１５は、伝送される基底帯域データをエンコードし、多重化（ｍｕｌｔｉｐｌｅｘ）及び／または、デジタル化し、処理された基底帯域または中間周波数（ＩＦ）信号を生成する。ＲＦトランシーバ３１０は、伝送される処理された基底帯域または中間周波数信号を伝送処理回路３１５から受信する。ＲＦトランシーバ３１０は、基底帯域または中間周波数信号をＲＦ（ｒａｄｉｏ ｆｒｅｑｕｅｎｃｙ）信号にアップコンバートし、ＲＦ信号は、アンテナ３０５を介して伝送される。
【００３２】
本発明の実施形態で、メインプロセッサ３４０は、マイクロプロセッサーまたはマイクロコントローラーになることができる。メモリ３６０は、メインプロセッサ３４０に連結される。本発明のどんな実施形態によっても、メモリ３６０の一部は、ランダムアクセスメモリ（ＲＡＭ、ｒａｎｄｏｍ  ａｃｃｅｓｓ  ｍｅｍｏｒｙ）を含み、メモリ３６０の他の一部は、ＲＯＭ（ｒｅａｄ−ｏｎｌｙ ｍｅｍｏｒｙ）のように動作するフラッシュメモリを含む。
【００３３】
メインプロセッサ３４０は、無線加入者端末１１６の全体的な動作を制御するためにメモリ３６０に格納された基本運営システムＯＳプログラム３６１を行う。いずれか１つのそのような動作で、メインプロセッサ３４０は、よく知られた原理によって、ＲＦトランシーバ３１０、受信処理回路３２５及び伝送処理回路３１５による、順方向チャネル信号（ｆｏｒｗａｒｄ ｃｈａｎｎｅｌ ｓｉｇｎａｌ）の受信及び逆方向チャネル信号（ｒｅｖｅｒｓｅ ｃｈａｎｎｅｌ ｓｉｇｎａｌ）の伝送を制御する。
【００３４】
メインプロセッサ３４０は、ＣｏＭＰ（Ｃｏｏｒｄｉｎａｔｅｄ Ｍｕｌｔｉｐｏｉｎｔ）通信及びＭＵ−ＭＩＭＯ（Ｍｕｌｔｉ−Ｕｓｅｒ Ｍｕｌｔｉ−Ｉｎｐｕｔ Ｍｕｌｔｉ−Ｏｕｔｐｕｔ）通信のための動作のような、メモリ３６０に常在するプログラム及び他のプロセスを実行することを可能にする。メインプロセッサ３４０は、実行プロセスによって要求されるもののように、データをメモリ内にまたは外に移動させることができる。一部の実施形態で、メインプロセッサ３４０は、ＣｏＭＰ通信及びＭＵ−ＭＩＭＯ通信のためのアプリケーションのような、複数のアプリケーション３６２を実行するように構成される。メインプロセッサ３４０は、基地局１０２から受信された信号に応答して、または、運営システム（ＯＳ）プログラム３６１に基づいて、複数のアプリケーション３６２を動作するようにすることができる。メインプロセッサ３４０は、また、入出力インターフェース（Ｉ／Ｏ  ＩＦ）３４５に連結される。入出力インターフェース３４５は、加入者端末１１６にラップトップコンピュータ及び携帯用コンピュータのような、他の装置に連結することができる能力を提供する。入出力インターフェース３４５は、このようなアクセサリー（ａｃｃｅｓｓｏｒｉｅｓ）とメインコントローラー３４０との間の通信経路である。
【００３５】
メインプロセッサ３４０は、また、キーパッド３５０及びディスプレイユニット３５５に連結される。加入者端末１１６の オペレータ（ｏｐｅｒａｔｏｒ）は、加入者端末１１６にデータを入力するためにキーパッド３５０を使用する。ディスプレイ３５５は、ウェブサイトから少なくとも制限されたグラフィックス及び／またはテキスト（ｔｅｘｔ）をレンダリングすることができるＬＣＤ（Ｌｉｑｕｉｄ Ｃｒｙｓｔａｌ Ｄｉｓｐｌａｙ）になることができる。
【００３６】
多重ユーザ多重入力多重出力（ＭＵ−ＭＩＭＯ）動作は、３ＧＰＰ ＬＴＥシステムに対して、２００９年３月公表された、３ＧＰＰ ＴＳ ３６．２１１ ｖ ８．６．０、“Ｅ−ＵＴＲＡ、物理チャネル及び変調（Ｅ−ＵＴＲＡ、Ｐｈｙｓｉｃａｌ ｃｈａｎｎｅｌｓ ａｎｄ ｍｏｄｕｌａｔｉｏｎ）”２００９年３月公表された３ＧＰＰ ＴＳ ３６．２１２ ｖ ８．６．０、“Ｅ−ＵＴＲＡ、多重化及びチャネルコーディング（Ｅ−ＵＴＲＡ、Ｍｕｌｔｉｐｌｅｘｉｎｇ ａｎｄ Ｃｈａｎｎｅｌ ｃｏｄｉｎｇ）”及び、２００９年３月公表された３ＧＰＰ ＴＳ ３６．２１３ ｖ ８．６．０、“Ｅ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）”に定義されていて、これらコンテンツの各々は、本文献に参照として統合される。例えば、基地局１０２は、“Ｅ−ＵＴＲＡ、多重化及びチャネルコーディング（Ｅ−ＵＴＲＡ、Ｍｕｌｔｉｐｌｅｘｉｎｇ ａｎｄ Ｃｈａｎｎｅｌ ｃｏｄｉｎｇ）”のセクション５．３．３．１．３及び５．３．３．１．５Ａに定義されたダウンリンク制御情報（ＤＣＩ、ｄｏｗｎｌｉｎｋ ｃｏｎｔｒｏｌ ｉｎｆｏｒｍａｔｉｏｎ）フォーマットを利用して制御情報を加入者端末１１６と通信を通じて送受信することができる。さらに、変調及び伝送ポートブロックサイズ決定のような、変調順序決定は、“Ｅ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）”のセクション７．１．７．１及び７．１．７．２によって行われることができる。さらに、２００９年１０月、ミヤザキ（Ｍｉｙａｚａｋｉ）によって、３ＧＰＰ ＲＡＮ１＃５８ｂｉｓ、“Ｗａｙ ｆｏｒｗａｒｄ ｏｎ ｔｈｅ ｄｅｔａｉｌｓ ｏｆ ＤＣＩ ｆｏｒｍａｔ ２Ｂ ｆｏｒ ｅｎｈａｎｃｅｄ ＤＬ ｔｒａｎｓｍｉｓｓｉｏｎ”、Ｒ１−０９４４１３は、そのコンテンツが参照として本文献に含まれ、ＤＣＩフォーマット２Ａに基づいてＤＣＩフォーマット２Ｂを定義する。
【００３７】
図４Ａ〜図４Ｅは、本発明の実施形態によるダウンリンクレファレンス信号（ＤＲＳ、Ｄｏｗｎｌｉｎｋ Ｒｅｆｅｒｅｎｃｅ Ｓｉｇｎａｌｓ）に対するランク（ｒａｎｋ）パターンを示す。図４Ａ〜図４Ｅに示されたようなランクパターンの実施形態は、ただ説明のための目的で図示された。他の実施形態が本発明の範囲から逸脱することなく使用されることができる。
【００３８】
ランク−２パターンＡ ４００及びランク−２パターンＢ ４０５は、最大２階層伝送を支援することができるパイロットパターンである。ここで、２個の階層のレファレンス信号（ＲＳ）を持って階層−０及び階層−１に対するＤＲＳを伝達する、ＤＲＳリソース要素（ＲＥｓ、Ｒｅｓｏｕｒｃｅ Ｅｌｅｍｅｎｔｓ）４１０（０、１のラベルが付いた）は、コード分割多重化（ＣＤＭｅｄ、ｃｏｄｅ−ｄｉｖｉｓｉｏｎ ｍｕｌｔｉｐｌｅｘｅｄ）される。同様に、ＤＲＳ ＲＥ ４１５（ラベル２、３が付いた）もコード分割多重化（ＣＤＭｅｄ、ｃｏｄｅ−ｄｉｖｉｓｉｏｎ ｍｕｌｔｉｐｌｅｘｅｄ）される。０、１のラベルが付いた２個の隣接したＤＲＳ ＲＥ ４１５で、階層０に対するＤＲＳシンボル［ｒ０、ｒ１］は、ワルシコード（Ｗａｌｓｈ ｃｏｄｅ）［１ １］によって分離される２個のＲＥにマッピングされ、その結果、［ｒ０ ｒ１］になる。一方、階層１のためのＤＲＳシンボルｒ２及びｒ３は、ワルシコード［１−１］によって分離される２個のＲＥにマッピングされ、その結果、［ｒ２−ｒ３］になる。
【００３９】
図４Ｃに示された実施形態で、パイロットパターンは、最大４個階層伝送を支援することができるランク−４パターン４２０である。ランク−４パターン４２０で、ＤＲＳ ＲＥは、さらに、０、１のラベルが付いたものと、２、３のラベルが付いたものとの２個に分割される。ここで、階層０及び１に対する２個の階層のＲＳを有するＤＲＳを伝送する、ＤＲＳ ＲＥ ４２５（０、１のラベルが付いた）は、コード分割多重化（ｃｏｄｅ−ｄｉｖｉｓｉｏｎ ｍｕｌｔｉｐｌｅｘｅｄ）される。そして、階層２及び３に対する２個の階層のＲＳを有するＤＲＳを伝達するＤＲＳ ＲＥ ４３０（２、３のラベルが付いた）は、コード分割多重化（ＣＤＭｅｄ）される。
【００４０】
ＣＤＭＤＲＳ多重化に基づく８ ＤＲＳパターン４４０、４５０の例が各々図４Ｄ及び図４Ｅに示される。実施形態で、Ｇ、Ｈ、Ｉ、Ｊ、Ｌ、Ｋのうちいずれか１つのラベルが付いたＲＥ（リソース要素、Ｒｅｓｏｕｒｃｅ Ｅｌｅｍｅｎｔ）は、８ ＤＲＳのうち各数のＤＲＳを伝達するために使用される。ここで、ＤＲＳの数は、コード分割多重化される。ランク−８パターンＡ ４４０は、同一のアルファベットラベルを有する２個の時間−隣接したＲＥにわたった個のコード分割多重化（ＣＤＭ、ｃｏｄｅ−ｄｉｖｉｓｉｏｎ ｍｕｌｔｉｐｌｅｘ）の拡散ファクターに基づく。一方、ランク−８パターンＢ４５０は、同一のアルファベットラベルを有する２個のグループの２個の時間−隣接したＲＥにわたった４個のコード分割多重化の拡散ファクターに基づく。ランク−８パターンで８個のアンテナポートは、ランク−２パターン４００、４０５及びランク−４パターン４２０のアンテナポートからそれらを区分するために、後続に連続するアンテナポート４、５、６、７、８、９、１０、１１として参照される。一部の実施形態で、Ｒｅｌ−８ ＬＴＥでのように、そのようなアンテナポート０、１、２、３、４、５は、セル特定レファレンス信号（ＣＲＳ、ｃｅｌｌ−ｓｐｅｃｉｆｉｃ ｒｅｆｅｒｅｎｃｅ ｓｉｇｎａｌ）、単一周波数ネットワーク上のマルチメディアブロードキャスト（ＭＢＳＦＮ、ｍｕｌｔｉ−ｍｅｄｉａ ｂｒｏａｄｃａｓｔ ｏｖｅｒ ａ ｓｉｎｇｌｅ ｆｒｅｑｕｅｎｃｙ ｎｅｔｗｏｒｋ）ＲＳ及びＲｅｌ−８ ＤＲＳのために使用される。したがって、コンベンション拡張Ｒｅｌ−８ ＬＴＥナンバリングを利用すれば、新しいアンテナポート番号は、６から始まる；ランク−２パターン４００、４０５は、アンテナポート６、７を有する；ランク−４パターン４２０は、アンテナポート６、７、８、９を有する；そして、ランク−８パターン４４０、４５０は、アンテナポート１０、１１、１２、１３、１４、１５、１６、１７を有する。
【００４１】
ランク−８パターンＡ ４４０の具現の一実施形態で、Ｇは、ＤＲＳ ４、５を伝達し；Ｈは、ＤＲＳ ６、７を伝達し；Ｉは、ＤＲＳ８、９を伝達し；そして、Ｊは、ＤＲＳ（１）０、１１を伝達する。代案的に、ランク−８パターンＢ ４５０の具現の一実施形態で、Ｋは、ＤＲＳ ４、５、６、７を伝達し、Ｌは、ＤＲＳ ８、９、１０、１１を伝達する。
【００４２】
図５Ａ及び図５Ｂは、本発明の実施形態によるＭＵ−ＭＩＭＯ（Ｍｕｌｔｉ−Ｕｓｅｒ Ｍｕｌｔｉ−Ｉｎｐｕｔ Ｍｕｌｔｉ−Ｏｕｔｐｕｔ）モードで２個の加入者端末に対して加入者端末の動作を示す。図５Ａ及び図５Ｂに示された加入者端末の動作の実施形態は、ただ説明のための目的で図示された。他の実施形態でも、本発明の範囲を逸脱することなく使用されることができる。
【００４３】
図５Ａ及び図５Ｂに示された実施形態で、加入者端末１１５及び加入者端末１１６のような、２個の加入者端末は、サブフレーム（加入者端末１１５及び加入者端末１１６）でスケジューリングされる。ここで、これは、ランク−２ＤＲＳパターンＡ ４００が使用されることを示す。図５Ａに示された実施形態で、ｉ＿ＤＲＳ＝０を有する加入者端末１１５は、復調パイロットとしてＤＲＳ（０）ＲＥを認識し、（ＣＲＳ及びＤＲＳ（０）を除いた）他のＲＥをデータとして認識する。図５Ｂに示された実施形態で、ｉ＿ＤＲＳ＝１を有する加入者端末１１６は、ただＤＲＳ（１）ＲＥを復調パイロットとして認識し、（ＣＲＳ及びＤＲＳ（１）を除いた）他のＲＥをデータとして認識する。それでは、各加入者端末１１５、１１６の動作は、次の通りである。
【００４４】
加入者端末１１５に対して、ｉ＿ＤＲＳ＝０なら、これは、第１ＤＲＳパターン、ＤＲＳ（０）は、加入者端末１１５に対して使用されることを意味する。
【００４５】
加入者端末１１６に対して、ｉ＿ＤＲＳ＝１なら、これは、第２ＤＲＳパターン、ＤＲＳ（１）は、加入者端末１１６に対して使用されることを意味する。
【００４６】
したがって、データセクション及びＤＲＳセクション上で各加入者端末１１５、１１６の動作／観測（ｂｅｈａｖｉｏｒ／ｏｂｓｅｒｖａｔｉｏｎ）が図５Ａ及び図５Ｂに示される。例えば、加入者端末１１５は、ただＤＲＳ（０）だけをパイロットＲＥとして認識し、（ＣＲＳ及びＤＲＳ（０）を除いた）他のＲＥは、データＲＥとして認識する。一方、加入者端末１１６は、ただＤＲＳ（１）だけをパイロットＲＥとして認識し、（ＣＲＳ及びＤＲＳ（１）を除いた）他のＲＥは、データＲＥとしとて認識する。さらに、図５Ａ及び図５Ｂに示された実施形態で、他のコード分割多重化拡散コード（ＣＤＭ ｓｐｒｅａｄｉｎｇ ｃｏｄｅｓ）がＤＲＳ（０）及びＤＲＳ（１）に適用された。
【００４７】
チャネル状態情報（ＣＳＩ、ｃｈａｎｎｅｌ ｓｔａｔｅ ｉｎｆｏｒｍａｔｉｏｎ）ＲＳ及び変調レファレンス信号（ＤＭ ＲＳ、ｄｅｍｏｄｕｌａｔｉｏｎ ｒｅｆｅｒｅｎｃｅ ｓｉｇｎａｌ）を含むデータ及びパイロットは、直交周波数分割多重化（ＯＦＤＭ、Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）基盤無線通信システム１００で、時間−周波数資源（またはリソースブロック、ｒｅｓｏｕｒｃｅ ｂｌｏｃｋ、ＲＢ）の単位で一緒に多重化される。
【００４８】
ＯＦＤＭ基盤の無線通信システム１００には、２個の形式のシグナリングが存在する。いずれか１つの形式は、物理階層シグナリングであり、他の形式は、上位階層シグナリングである。
【００４９】
物理階層シグナリングは、動的シグナリングを含む。ここで、動的シグナリングは、基地局１０２のような、基地局が加入者端末１１６のような加入者端末に対して信号を伝送することを所望するこのようなサブフレームの物理ダウンリンク制御チャネル（ＰＤＣＣＨ、ｐｈｙｓｉｃａｌ ｄｏｗｎｌｉｎｋ ｃｏｎｔｒｏｌ ｃｈａｎｎｅｌ）で発生することができる。この形式の動的シグナリングのために、ダウンリンク制御情報（ＤＣＩ、ｄｏｗｎｌｉｎｋ ｃｏｎｔｒｏｌ ｉｎｆｏｒｍａｔｉｏｎ）フォーマットが定義される。ここで、ＤＣＩは、ＰＤＣＣＨで伝送される。
【００５０】
上位階層シグナリングは、ブロードキャストシグナリング及びＲＲＣ（Ｒａｄｉｏ Ｒｅｓｏｕｒｃｅ Ｃｏｎｔｒｏｌ）シグナリングを含む。これは、半静的（ｓｅｍｉ−ｓｔａｔｉｃ）シグナリングになることができる。ブロードキャストシグナリングは、加入者端末の知られたセル特定情報を利用するように許容する。一方、ＲＲＣシグナリングは、加入者端末の知られた加入者端末特定情報を利用するように許容する。
【００５１】
ダウンリンクグラント（ＤｏｗｎＬｉｎｋ ｇｒａｎｔ、ダウンリンク伝送資源を割り当てる信号）は、ＤＣＩとして見なされ、それらは、加入者端末１１６のような、少なくとも１つの加入者端末に基地局１０２のような基地局によって伝送される。ダウンリンクグラントは、加入者端末に特定されることができる。ダウンリンクグラントが加入者端末１１６のような、ただ１つの加入者端末に対して使用されることができるＤＣＩを含むことを意味する。ＤＣＩフォーマットの数は、ダウンリンクグラントに対して定義され、各ダウンリンクグラントは、サブフレームのＰＤＣＣＨで伝送される。加入者端末に対するダウンリンクグラントは、リソース割り当て（ＲＡ、ｒｅｓｏｕｒｃｅ ａｓｓｉｇｎｍｅｎｔｓ）、伝送ランク（ｔｒａｎｓｍｉｓｓｉｏｎ ｒａｎｋ）及び変調及びコーディングレート（ＭＣＳ、ｍｏｄｕｌａｔｉｏｎ ａｎｄ ｃｏｄｉｎｇ ｒａｔｅ）を含む。リソース割り当て（ＲＡ）は、加入者端末にデータ信号を伝達する時間−周波数リソース（またはＲＢ）を示す。伝送ランクは、加入者端末がＲＡによって指示された（示された）ＲＢで受信することと予想されるストリーム（または階層の数）を示す。各コードワード（ＣＷ、ｃｏｄｅ ｗｏｒｄ）に対して、１つのセットのＭＣＳが加入者端末に対して示される。ダウンリンクグラントは、また、加入者端末に対するＤＭ ＲＳ（または、階層またはストリーム）インデックスを含むことができる。したがって、加入者端末は、ＤＭ ＲＳインデックスによって示されるＲＳを読み出す復調及びチャネル推定を行うことができる。関連した方法は、Ｕ．Ｓ特許出願１２／６９２、３８５、発明の名称“ＳＹＳＴＥＭ ＡＮＤ ＭＥＴＨＯＤ ＦＯＲ ＭＵＬＴＩ−ＵＳＥＲ ＡＮＤ ＭＵＬＴＩ−ＣＥＬＬ ＭＩＭＯ ＴＲＡＮＳＭＩＳＳＩＯＮＳ”及びＵ．Ｓ．特許出願１２／７９７、７１８、発明の名称“ＭＥＴＨＯＤ ＡＮＤ ＳＹＳＴＥＭ ＦＯＲ ＩＮＤＩＣＡＴＩＮＧ ＭＥＴＨＯＤ ＵＳＥＤ ＴＯ ＳＣＲＡＭＢＬＥ ＤＥＤＩＣＡＴＥＤ ＲＥＦＥＲＥＮＣＥ ＳＩＧＮＡＬＳ”に示されている。このような各コンテンツは、それら全体が参照として本文献の本発明に統合される。
【００５２】
伝送ブロック（ＴＢ、ｔｒａｎｓｐｏｒｔ ｂｌｏｃｋ）は、上位階層から伝達されるビットストリームである。物理階層で、伝送ブロックは、コードワード（ＣＷ）にマッピングされる。Ｒｅｌ−８ ＬＴＥで、最大２個の伝送ブロックは、（そして、したがって、最大２個のコードワード）、サブフレームの時間−周波数資源のセットで加入者端末１１６に対してスケジューリングされることができる。Ｒｅｌ−８及びＲｅｌ−１０を含む、ＬＴＥシステムにおいて空間多重化に対して、２００９年６月、３ＧＰＰ ＴＲ ３６．８１４ ｖ１．２．２、“Ｆｕｒｔｈｅｒ Ａｄｖａｎｃｅｍｅｎｔｓ ｏｆ Ｅ−ＵＴＲＡ、Ｐｈｙｓｉｃａｌ ｌａｙｅｒ ａｓｐｅｃｔｓ”に説明されていて、このコンテンツは、参照として本発明の文献に含まれる。コードワードを階層にマッピングさせること（ＣＷ−ｔｏ−ｌａｙｅｒｍａｐｐｉｎｇ）は、“Ｅ−ＵＴＲＡ、Ｐｈｙｓｉｃａｌ ｃｈａｎｎｅｌｓ ａｎｄ ｍｏｄｕｌａｔｉｏｎ”のセクション６．３．３．２に定義されていて、ダウンリンク空間多重化は、“Ｆｕｒｔｈｅｒ Ａｄｖａｎｃｅｍｅｎｔｓ ｏｆ Ｅ−ＵＴＲＡ、Ｐｈｙｓｉｃａｌ ｌａｙｅｒ ａｓｐｅｃｔｓ”のセクション７．２に定義されている。さらに、ＨＡＲＱ（Ｈｙｂｒｉｄ Ａｕｔｏｍａｔｉｃ Ｒｅｔｒａｎｓｍｉｔ ｒｅＱｕｅｓｔ）プロセスで使用のための、トグルビットは、２００９年９月発行された、３ＧＰＰ ＴＳ ３６．３２１ Ｖ８．３．０、“Ｅ−ＵＴＲＡ、Ｍｅｄｉｕｍ Ａｃｃｅｓｓ Ｃｏｎｔｒｏｌ（ＭＡＣ）ｐｒｏｔｏｃｏｌ ｓｐｅｃｉｆｉｃａｔｉｏｎ”に定義されていて、これは、その全体が参照として本発明に含まれる。
【００５３】
図６は、本発明の実施形態によるサブフレーム内でリソースブロック（ＲＢ、ｒｅｓｏｕｒｃｅ ｂｌｏｃｋ）使用の実施形態を示す。図６に示されたリソースブロック使用の例は、説明の目的で図示されたものであり、他の実施形態で本発明の範囲を逸脱することなく使用されることもできる。
【００５４】
一実施形態で、サブフレームのリソースブロックＲＢは、互いに異なるＤＭ ＲＡパターンを有することができる。一実施形態で複数の加入者端末は、同一のＲＢにスケジューリングされることができ、各々は、異なる数の階層を有する。すなわち、複数の加入者端末が同一のＲＢの他の階層にスケジューリングされることができる。
【００５５】
１つのＲＢ６０５で、基地局１０２は、ランク−４パターン４２０を使用する。そして、基地局１０２は、加入者端末１１６、加入者端末１１５及び加入者端末１１１に伝送されることを意図された信号を多重化する。加入者端末１１６は、ＤＭ ＲＳ（Ｄｅｍｏｄｕｌａｔｉｏｎ Ｒｅｆｅｒｅｎｃｅ ｓｉｇｎａｌ）０と一緒にデータストリーム６０６を受信する。加入者端末１１５は、ＤＭ ＲＳ １と一緒にデータストリーム６０７を受信する。加入者端末１１１は、ＤＭ ＲＳ２、３と一緒にデータストリーム６０８を受信する。他のＲＢ６１０で、基地局１０２は、ランク−８パターン４４０を使用する。そして、基地局１０２は、ただ１つの加入者端末、加入者端末１１２に信号を伝送する。加入者端末１１２は、ＤＭ ＲＳ４、５、６、７、８、９とともにデータストリーム６１１を受信する。他のリソースブロック６１５で、基地局１０２は、ランク−２パターン４００を使用する。そして基地局１０２は、加入者端末１１３及び加入者端末１１４に信号を伝送する。加入者端末１１３は、ＤＭ ＲＳ０と一緒にデータストリーム６１６を受信する。加入者端末１１４は、ＤＭ ＲＳ１と一緒にデータストリーム６１７を受信する。
【００５６】
一実施形態で、基地局１０２は、加入者端末１１６に（または加入者端末１１４〜加入者端末１１６のような、加入者端末のグループ）に可能なＤＭ ＲＳパターンのセットに関連して、動的方式または半静的方式のうちいずれか１つの方式で情報を伝達する。基地局１０２は、加入者端末１１６物理−階層シグナリングまたは上位−階層シグナリングのうちいずれか１つを利用して情報を伝達することができる。
【００５７】
一実施形態で、伝送モードは、伝送に使用されることができるＤＭ ＲＳパターンのセットを含むリスト（または定義セット）を含む。基地局１０２は、伝送モードで加入者端末１１６（または加入者端末のグループ）の環境を設定（ｃｏｎｆｉｇｕｒｅ）することができる。ここで、この環境設定（ｃｏｎｆｉｇｕｒａｔｉｏｎ）は、上位階層シグナリングによって行われることができる。
【００５８】
例えば、基地局１０２は、上位階層シグナリングによって加入者端末１１６に対して伝送モードで環境を設定することができる。ここで、伝送モードは、ランク−４パターン４２０及びランク−８パターンＡ ４４０を支援する。それでは、加入者端末１１６は、ランク−４パターン４２０及びランク−８パターンＡ ４４０のＤＭ ＲＳパターンのうちいずれか１つを有するリソースブロックＲＢの伝送を期待する。
【００５９】
一実施形態で、基地局１０２は、加入者端末１１４〜加入者端末１１６のような第１グループの加入者端末に、物理階層シグナリングまたは上位階層シグナリングによって、または、伝送モード環境設定で、可能なＤＭ ＲＳパターンがランク−２パターンＡ ４００、ランク−４パターン４２０及びランク−８パターンＡ ４４０を含むことを通知する。基地局１０２は、加入者端末１１１〜加入者端末１１３のような第２グループの加入者端末に、可能なＤＭ ＲＳパターンがランク−２パターンＢ ４０５、ランク−４パターン４２０及びランク−８パターンＡ ４４０を含むことを通知する。
【００６０】
可能なＤＭ ＲＳパターンのセットを通知する基地局１０２からのシグナリングを受信した後、加入者端末１１６は、これによって基地局１０２からのダウンリンクグラントを翻訳する。
【００６１】
一実施形態で、基地局１０２は、加入者端末１１６に動的方式（ｄｙｎａｍｉｃ ｍａｎｎｅｒ）または半静的方式（ｓｅｍｉ−ｓｔａｔｉｃ ｍａｎｎｅｒ）のうちいずれか１つの方式で可能なＤＭ ＲＳパターンのうち１つのＤＭ ＲＳパターンに関する情報を伝達する。これは、物理階層シグナリングまたは上位階層シグナリングのうちいずれか１つの方式で行われる。サブフレームで基地局１０２からのダウンリンクグラントによって指示されるリソースブロックで信号を受信すれば、加入者端末１１６は、指示されたＤＭ ＲＳパターンのリソース要素（ＲＥ、ｒｅｓｏｕｒｃｅ ｅｌｅｍｅｎｔ）でレファレンス信号（ＲＳ、Ｒｅｆｅｒｅｎｃｅ ｓｉｇｎａｌ）を抽出することによって復調のためのチャネル推定を行い、スケジューリングされたリソースブロック（ＲＢ）のリソース要素（ＲＥ）で信号を抽出し、指示されたＤＭ ＲＳパターンのＲＥを除去することによって、データ信号を復調する。
【００６２】
他の実施形態で、基地局１０２は、加入者端末１１６に３個の可能なＤＭ ＲＳパターンが存在するという情報を通知する。ここで、３個の可能なＤＭ ＲＳ（Ｄｅｍｏｄｕｌａｔｉｏｎ Ｒｅｆｅｒｅｎｃｅ ｓｉｇｎａｌ）パターンは、ランク−２パターンＡ ４００、ランク−４パターン４２０及びランク−８パターンＡ ４４０を含む。サブフレームで、基地局１０２は、ＰＤＣＣＨを介して加入者端末１１６にＤＣＩを伝送する。ここで、ＤＣＩは、ＲＢ３、６、７が加入者端末１１６に対する信号を含み、ＤＭ ＲＳ ０及び１及びストリーム６０６及びストリーム６０７が加入者端末１１６のための信号を伝達し、ランク−４パターン４２０が使用されることを通知する。それでは、サブフレームで、加入者端末１１６は、リソースブロックＲＢ３、６及び７のリソース要素（ＲＥ）から信号を受信する。そして、加入者端末１１６は、ＤＭ ＲＳを伝達するＲＥを探すために、そして、データ信号を伝達するＲＥを探すためにランク−４パターン４２０を仮定する。加入者端末１１６は、ランク−４パターン４２０によって指示されたＲＥ及びワルシコード（ＷＣ）によるＤＭ ＲＳ ０及び１に関連したチャネルを推定する。追加に、加入者端末１１６は、ランク−４パターン４２０のＤＭ ＲＳ ０、１、２、３のためのＲＥを除いたリソースブロック３、６、及び７のＲＥからデータ信号を復調する。 
【００６３】
したがって、チャネル推定及び復調のために、加入者端末１１６は、どのＤＭ ＲＳパターンが使用されたかを知っていて、そして、選択されたＤＭ ＲＳパターン内でＤＭ ＲＳインデックスを知っているものと仮定する。
【００６４】
一実施形態で、基地局１０２は、可能なＤＭ ＲＳ（Ｄｅｍｏｄｕｌａｔｉｏｎ Ｒｅｆｅｒｅｎｃｅ ｓｉｇｎａｌ）パターンのセットのうち選択されたＤＭ ＲＳパターンに関する情報及び伝送のための選択されたＤＭ ＲＳパターン内のＤＭ ＲＳインデックスセットを加入者端末１１６に通知する。選択されたＤＭ ＲＳパターンの（動的（ｄｙｎａｍｉｃ）、半静的（ｓｅｍｉ−ｓｔａｔｉｃ））指示子の多重組合が存在すること、そして、選択されたＤＭ ＲＳパターン内のＤＭ ＲＳインデックスの（動的、半静的）指示子が次の表１に示されている。
【００６５】
【表１】
0005907875.tif 000002
【００６６】
表１は、ＤＭ ＲＳパターンのシグナリング方法及び選択されたＤＭ ＲＳパターン内でＤＭ ＲＳインデックスセットである。
【００６７】
ランク−２パターンＡ ４００及びＢ ４０５、ランク−４パターン４２０及びランク−８パターン４４０、４５０のうちいずれか１つのランクパターンから、各状態が選択されたＤＭ ＲＳパターン及び選択されたＤＭ ＲＳパターン内のＤＭ ＲＳインデックスセットの組合上で伝達されるすべての可能な状態が次にリストで羅列される。
【００６８】
ランク−２パターンＡ ４００のＤＭ ＲＳ（Ｄｅｍｏｄｕｌａｔｉｏｎ Ｒｅｆｅｒｅｎｃｅ ｓｉｇｎａｌ）インデックスセットは、空きセットを除いて、セット｛０、１｝から２２−１＝３個のサブセットが存在する。
【００６９】
【表２】
0005907875.tif 000003
【００７０】
加入者端末１１６が基地局１０２からこのような状態のうち１つ（またはこのようなインデックスセットのうち１つ）を情報として提供される時、加入者端末１１６は、復調のためのランク−２パターンＡ ４００の情報として提供されたインデックスセットに対応するＲＳ ＲＥからチャネルを推定する。そして、加入者端末１１６は、ランク−２パターンＡ ４００のすべてのＲＳ ＲＥからデータ信号を予測しない。すなわち、ランク−２パターンＡ ４００のすべてのＲＳ ＲＥからデータ信号がないものと予測する。
【００７１】
基地局１０２がこのような状態のうち１つ（またはこのようなインデックスセットのうち１つ）を加入者端末１１６に指示する時、基地局１０２は、ランク−２パターンＡ ４００のすべてのＲＳ ＲＥに加入者端末１１６に対するデータ信号を伝送しない。
【００７２】
ランク−４パターン４２０のＤＭ ＲＳインデックスセットは、空きセットを除いて、セット｛０、１、２、３｝から２４−１＝１５個のサブセットを有する。
【００７３】
【表３】
0005907875.tif 000004
【００７４】
加入者端末１１６が基地局１０２からこのような状態のうちいずれか１つ（またはこのようなインデックスセットのうちいずれか１つ）に関連した情報を提供される時、加入者端末１１６は、復調のために、ランク−４のパターン４２０の情報として提供されたインデックスセットに対応するＲＳ ＲＥからチャネルを推定する。そして、加入者端末１１６は、ランク−４のパターンＡ ４４０のすべてのＲＳ ＲＥからデータ信号を予測しない。すなわち、加入者端末１１６は、ランク−４のパターンＡ ４４０のすべてのＲＳ ＲＥからデータ信号が伝送されないものと予測する。
【００７５】
基地局１０２が加入者端末１１６にこのような状態のうちいずれか１つ（またはこのようなインデックスセットのうちいずれか１つ）に関連した情報を指示する時、基地局１０２は、ランク−４のパターン４２０のすべてのＲＳ ＲＥに加入者端末１１６に対するデータ信号を伝送しない。
【００７６】
ランク−８パターン４４０、４５０でＤＭ ＲＳインデックスセットは、空きセットを除いて、セット｛４、５、６、７、８、９、１０、１１｝から２８−１＝２５５個のサブセットを有する。
【００７７】
状態１８〜２７２は、２５５個のサブセットに対して定義される。ここで、１つのサブセットは、１つの状態に対応する。
【００７８】
状態１８、１９、２０、２１は、サブセット｛４、５、６、７、８｝、｛４、５、６、７、８、９｝、｛４、５、６、７、８、９、１０｝、そして、｛４、５、６、７、８、９、１０、１１｝を示す。
【００７９】
加入者端末１１６が基地局１０２からこのような状態のうちいずれか１つ（またはこのようなインデックスセットのうちいずれか１つ）に関連した情報を提供される時、加入者端末１１６は、ランク−８のパターン４４０、４５０の情報として提供されたインデックスセットに対応するＲＳ ＲＥからチャネルを推定する。さらに、一実施形態で（例えば、例示的なケース１）、加入者端末１１６は、ランク−８のパターンＡ ４４０、４５０のすべてのＲＳ ＲＥからデータ信号を予測しない。すなわち、加入者端末１１６は、ランク−８のパターンＡ ４４０、４５０のすべてのＲＳ ＲＥからデータ信号が伝送されないものと予測する。他の実施形態で（例えば、例示的なケース２）、加入者端末１１６は、情報で提供されたインデックスセットに対応するＲＳ ＲＥからデータ信号を予測しない。すなわち、加入者端末１１６は、情報として提供されたインデックスセットに対応するＲＳ ＲＥからデータ信号が伝送されないものと予測する。
【００８０】
基地局１０２は、加入者端末１１６に、このような状態のうちいずれか１つ（または、このようなインデックスセットのうちいずれか１つ）を指示する。
【００８１】
一実施形態で（例えば、ケース１）、基地局１０２は、ランク−８のパターンＡ ４４０、４５０のすべてのＲＳ ＲＥに加入者端末１１６に対応するデータ信号を伝送しない。
【００８２】
一実施形態で（例えば、ケース２）、基地局１０２は、情報として提供されたインデックスセットに対応するＲＳ ＲＥに加入者端末１１６に対応するデータ信号を伝送しない。
【００８３】
図７Ａ及び図７Ｂは、本発明の実施形態による加入者端末の動作の実施形態を示す。図７Ａ及び図７Ｂに示されて実施形態は、ただ説明のために図示されたものであり、他の実施形態で本発明の範囲を逸脱することなく使用されることができる。
【００８４】
図７Ａ及び図７Ｂは、制御のためのリソースブロック（ＲＢ）、データ、ＣＲＳ及びＤＭ ＲＳでＲＥの加入者端末解釈の例を示す。この実施形態で、基地局１０２は、加入者端末１１６にランク−８パターンＡ ４４０で状態１８、またはＤＭ ＲＳインデックスセット｛４、５、６、７、８｝が加入者端末１１６でチャネル推定及び復調のためのものと推定されるようにする情報を提供する。
【００８５】
一実施形態で（例えば、ケース１）、加入者端末１１６は、ランク−８パターンＡ ４４０のすべてのＲＳ ＲＥ、制御ＲＥ、ＣＲＳ ＲＥを除いたリソースブロックＲＢのＲＥを含むデータＲＥからデータ信号を受信する。
【００８６】
一実施形態で（ケース２）、加入者端末１１６は、ランク−８パターンＡ ４４０の４、５、６、７及び８のラベルが付いたＲＳ ＲＥ７０５、制御ＲＥ、及びＣＲＳ ＲＥを除いたリソースブロックＲＢのＲＥを含むデータＲＥからデータ信号を受信する。
【００８７】
ランク−２パターンＢ ４０５のＤＭ ＲＳインデックスセットは、空きセットを除いて、セット｛２、３｝から２２−１＝３個のサブセットを有する。
【００８８】
【表４】
0005907875.tif 000005
【００８９】
加入者端末１１６は、基地局１０２からこのような状態のうちいずれか１つの状態（または、このようなインデックスセットのうちいずれか１つのセット）に対する情報を提供される。加入者端末１１６は、復調のためにランク−２パターンＢ ４０５の情報として提供されたインデックスセットに対応するＲＳ ＲＥからチャネルを推定する。そして加入者端末１１６は、ランク−２パターンＢ ４０５のすべてのＲＳ ＲＥからデータ信号を予測しない。すなわち、加入者端末１１６は、ランク−２パターンＢ ４０５のすべてのＲＳ ＲＥからデータ信号が伝送されないものと予測する。
【００９０】
基地局１０２が加入者端末１１６に対してこのような状態のうちいずれか１つの状態（または、このようなインデックスセットのうちいずれか１つのセット）を指示する時、基地局１０２は、ランク−２パターンＢ ４０５のすべてのＲＳ ＲＥに加入者端末１１６に対するデータ信号を伝送しない。
【００９１】
全体として、６（ランク−２パターンＡ ４００＋ランク−２パターンＢ ４０５）＋１５（ランク−４パターン４２０）＋２５５（ランク−８パターン４４０、４５０のうちいずれか１つのランクパターン）＝２７６状態が存在する。また、全体で、６（ランク−２パターンＡ ４００＋ランク−２パターンＢ ４０５）＋１５（ランク−４パターン４２０）＋２５５（ランク−８パターン４４０、４５０のうちいずれか１つのランクパターン）＝２７６状態が存在する。
【００９２】
方法Ａが使用される時、基地局１０２は、ＤＭ ＲＳインデックスのセットとともにＤＭ ＲＳパターンを加入者端末１１６に物理ダウンリンク制御チャネル（ＰＤＣＣＨ）で伝送されるダウンリンクグラントを利用して、動的に指示する。
【００９３】
一実施形態で、状態の選択は、２７６状態を脱したＮ個のサブセットに対して制限される。そして、新しいダウンリンク制御情報（ＤＣＩ、Ｄｏｗｎｌｉｎｋ Ｃｏｎｔｒｏｌ Ｉｎｆｏｒｍａｔｉｏｎ）フォーマットが樹立される。このＤＣＩフォーマットは、Ｎ個の状態を指示するために十分なコードポイントを生成することができるフィールドを含むことができる。Ｎのサイズは、固定されることができ、または、加入者端末１１６に半静的（ｓｅｍｉ−ｓｔａｔｉｃａｌｌｙ）に指示されることができる。Ｎのサイズが加入者端末１１６に半静的に指示される時の場合、加入者端末１１６は、ＤＣＩフォーマット長さは、Ｎ個のサイズによって変わることができるものと推定することができる。
【００９４】
２７６状態を脱したＮ状態のサブセットに状態の選択を制限する様々な方法が存在する。
【００９５】
一実施形態で、状態の選択は、２７６状態を脱しても制限されない。すなわち、Ｎ＝２７６である。この場合に、新しいＤＣＩフォーマットは、先立ってリストで羅列されたすべての２７６状態を指示するに十分なコードポイントを生成することができるフィールドを有するように設計される。一実施形態で、すべての２７６状態を示すために存在するＤＣＩフォーマットに５１２コードポイントを含む１つの９ビットフィールドを追加する。
【００９６】
ダウンリンクグラントのためのＤＣＩでビットは、チャネルコードによってエンコードされる。そして、ダウンリンクグラントのためのＤＣＩでビットは、ＰＤＣＣＨで伝達される。低い信号対雑音比（ＳＩＮＲ、ｓｉｇｎａｌ−ｔｏ−ｉｎｔｅｒｆｅｒｅｎｃｅ−ａｎｄ−ｎｏｉｓｅ−ｒａｔｉｏ）を経験する、加入者端末１１６のような、ユーザ装置（ＵＥ、Ｕｓｅｒ Ｅｑｕｉｐｍｅｎｔ）で増加された数のビットで構成された新しいＤＣＩフォーマットで伝達されるダウンリンクグラントの成功的な受信を保証するために、基地局１０２は、コーディングレートを減少するために、またはコーディングされたビットの数を増加するために、選択することができる。これは、ダウンリンクグラントのために使用される制御ＲＥの数を増加させる。しかし、制御ＲＥは、ＯＦＤＭシステムにおいて、珍しいリソースである。したがって、基地局１０２は、制御ＲＥを不要に消費しない。代案的に、もし、基地局１０２がコーディングレートを減少しないものを選択したら、低い信号対雑音比（ＳＩＮＲ）を経験する、加入者端末１１６は、ダウンリンクグラントを成功的に受信しない。言い換えれば、セルで基地局１０２の制御カバレッジが減少する。制御カバレッジ減少を避けるために、または、ＯＦＤＭシステムにおいて制御リソースの効率的な使用を可能にするために、可能なＤＣＩフォーマットでビットの数を小さく維持することが要求される。このような観点から、存在するＤＣＩフォーマットに９ビットフィールドを追加することは、好ましくないかも知れない。
【００９７】
一実施形態で、ダウンリンクグラントを伝達する新しいダウンリンク制御情報（ＤＣＩ、Ｄｏｗｎｌｉｎｋ Ｃｏｎｔｒｏｌ Ｉｎｆｏｒｍａｔｉｏｎ）フォーマットに含まれるビットの数を最小化するために、２７６状態を脱した状態の選択を制限するための方法が使用される。次の実施形態で、一部の状態は、シグナリングオーバーヘッドを最小化するためにＤＭ ＲＳパターンの各々から除外さることができる。
【００９８】
一実施形態で、ランク−８ＤＭ ＲＳパターン４４０、４５０は、リソースブロック（ＲＢ）でダウンリンク伝送のために選択されることができる。それでは、基地局１０２は、同一の数の直交する（ｏｒｔｈｏｇｏｎａｌ）ＤＭ ＲＳと共に少なくても５個のストリームを加入者端末１１６に割り当てる。数“ｎ”は、この方法によって加入者端末１１６に割り当てられるストリーム（またはＤＭ ＲＳ）の数を示すために使用される。ここでｎ＝５、６、７、８である。それでは、１つのＤＭ ＲＳインデックスセットは、ｎ＝５、６、７、８各々に対してランク−８ＤＭ ＲＳパターン４４０、４５０を利用する方法と関連したシグナリングオーバーヘッドを減少させるために選択される。グループＡは、この制限する方法によって樹立されたランク−８ＤＭ ＲＳパターン４４０、４５０（または４個の状態）でこのような４個のＤＭ ＲＳインデックスセットを含む。
【００９９】
このように制限する方法は、ランク−８ ＤＭ ＲＳパターン４４０、４５０が他のＤＭ ＲＳパターンより各ストリーム（または各階層）に対するＤＭ ＲＳシンボルの数より小さい数が割り当てられるという事実に基づく。したがって、チャネル推定動作は、低い信号対雑音比（ＳＮＲ）を経験する加入者端末に対して特に、低下する。このような低い信号対雑音比（ＳＮＲ）を経験する加入者端末が一般的に、基地局１０２によって小さい数のストリームでスケジューリングされることによって、ランク−８パターン４４０、４５０の使用は、低い信号対雑音比を経験する加入者端末が受信することを５個のストリームより少なくなるように制限される。追加に、ランク−８パターン４４０、４５０の使用は、ただ、単一−ユーザ上位−ランク伝送（ｓｉｎｇｌｅ−ｕｓｅｒｈｉｇｈ−ｒａｎｋ ｔｒａｎｓｍｉｓｓｉｏｎ）に対して制限される。
【０１００】
一実施形態で、グループＡは、４個の状態で構成される。各々のｎ＝５、６、７または、８に対して、ランク−ｎ ＤＭ ＲＳインデックスセットは、ランク−８パターン４４０、４５０で選択される。これは、ランク−８パターンでｎ個の最も小さいＤＭ ＲＳインデックスを含むｎ個の要素を有する。もし、この実施形態でのインデックスセットを選択する方法に付けば、ランク−５、ランク−６、ランク−７及びランク−８ＤＭ ＲＳインデックスセットは、各々状態（１８、１９、２０、２１に対応して）｛４、５、６、７、８｝、｛４、５、６、７、８、９｝、｛４、５、６、７、８、９、１０｝及び｛４、５、６、７、８、９、１０｝になることができる。
【０１０１】
図８は、本発明の実施形態に他のランク４パターンで各ＣＤＭセットに関連した状態を示す。図８に示された実施形態は、ただ説明のために図示され、他の実施形態で本発明の範囲を脱することなく使用されることができる。
【０１０２】
図８に示された実施形態で、ランク−４ ＤＭ ＲＳパターンがリソースブロック（ＲＢ）でダウンリンク伝送に対して選択される。基地局１０２が１ストリーム（そしてＤＭ ＲＳ）を加入者端末１１６に割り当てる時、４個のランク−１インデックスセットのうちいずれかと、または、｛０｝、｛１｝、｛２｝及び｛３｝（状態３、４、５、６に対応するように）が加入者端末１１６に割り当てられることができる。グループＢ−１ ８０５は、この制限する方法によって構成されるランク−４ ＤＭ ＲＳパターンのこのような４個のＤＭ ＲＳインデックスセット（または４個の状態）を含む。
【０１０３】
基地局１０２が２ストリームを加入者端末１１６に割り当てる時、ダウンリンクグラントシグナリングで属する状態の数を減少させるために、ただ、２インデックスセットが加入者端末１１６にシグナリングされるように許容される。ここで、２個のインデックスセットは、２−要素セット内でインデックスセット｛０、１、２、３｝の非オーバーラッピング部分から得ることができる。一実施形態で、２インデックスセットが１つのインデックスセットと関連した２個のＤＭ ＲＳがＲＥの１つのセットでコード分割多重化（ＣＤＭｅｄ、Ｃｏｄｅ Ｄｉｖｉｓｉｏｎ Ｍｕｌｔｉｐｌｅｘｅｄ）されるように選択される。このような場合に、２個のインデックスセットは、ランク−４パターン４２０に対して｛０、１｝そして｛２、３｝である（または状態７．９）である。他の実施形態で、２個のＤＭ ＲＳインデックスセットは、ランク−４パターン４２０に対して｛１、２｝そして｛３．０｝である（または状態８、１０である）。グループＢ−２ ８１０は、この制限する方法によって構成されたランク−４ ＤＭ ＲＳパターン４２０でこのような２個のＤＭ ＲＳインデックスセット（または２個の状態）を含む。
【０１０４】
グループＢ−１そしてグループＢ−２と関連した状態が図８に図示された。このようなものは、いずれか１つのＲＳ ＲＥのセットは、ＤＭ ＲＳ ０及び１をコード分割多重化（ＣＤＭ、Ｃｏｄｅ Ｄｉｖｉｓｉｏｎ Ｍｕｌｔｉｐｌｅｘ）セット０ ８１５に多重化することを示し、一方、他の１つのＲＳ ＲＥのセットは、ＤＭ ＲＳ ２及び３をＣＤＭセット１ ８２０に多重化することを示す。
【０１０５】
３ビットのビットマップシグナリングは、図８で状態のシグナリングのために考慮されることができる。３ビットのうち最上位ビット（ＭＳＢ、Ｍｏｓｔ Ｓｉｇｎｉｆｉｃａｎｔ Ｂｉｔ）は、コード分割多重化（ＣＤＭ、Ｃｏｄｅ Ｄｉｖｉｓｉｏｎ Ｍｕｌｔｉｐｌｅｘ）セットのうちいずれか１つを示し、そして、３ビットのうち最下位ビット（ＬＳＢ、Ｌｅａｓｔ Ｓｉｇｎｉｆｉｃａｎｔ Ｂｉｔ）は、選択されたＣＤＭセット内で割り当てられたアンテナポートのビットマップを示す。
【０１０６】
基地局１０２が３または４個のストリームを加入者端末１１６に割り当てる時、加入者端末１１６に対してシグナリングされ、いずれか１つのインデックスセットが３−ストリーム場合に対して割り当てられ、そして、他のインデックスセットが４−ストリーム場合に対して割り当てられる。また、この制限は、シグナリングオーバーヘッド（ｏｖｅｒｈｅａｄ）減少に対してタゲッティング（ｔａｒｇｅｔｅｄ）される。４−ストリーム伝送の場合で、ランク−４パターン４２０でただ１つの関連したインデックスセットが存在し、これは、｛０、１、２、３｝である（または、Ｓｔａｔｅ １４）である。代案的に、１つのランク−３ ＤＭ ＲＳセットは、４個の互いに異なるＤＭ ＲＳインデックスセット｛０、１、２｝、｛１、２、３｝、｛２、３、０｝及び｛３、０、１｝から選択される。第１の実施形態で、１つのランク−３ ＤＭ ＲＳインデックスセットは、ランク−４パターン４２０で３個の最小ＤＭ ＲＳインデックスで構成される。これは、ランク−４パターン４２０に対して｛０、１、２｝である（または状態１４である）。第２の実施形態で、１つのランク−３ＤＭ ＲＳインデックスセットは、ランク−４パターン４２０でＤＭ ＲＳ ０またはＤＭ ＲＳ １のうちいずれか１つを避ける３個のＤＭ ＲＳインデックスで構成される。これは、ランク−４パターン４２０に対して｛１、２、３｝、または、｛０、２、３｝である（または状態１５である）。グループＢ−３は、このような制限方法によって構成されるランク−４ ＤＭ ＲＳパターン（または２個の状態）でこれら２個のＤＭ ＲＳインデックスセットを含む。
【０１０７】
いずれか１つのランク−３ ＤＭ ＲＳインデックスセットは、第２の実施形態で｛１、２、３｝、または、｛０、２、３｝である。基地局１０２は、加入者端末１１６のような、向上した（ａｄｖａｎｃｅｄ）ユーザ装置（ＵＥ、Ｕｓｅｒ Ｅｑｕｉｐｍｅｎｔ）を多重化することができる。そして、これと共に、基地局１０２は、加入者端末１１２のような、レガシー（ｌｅｇａｃｙ）ユーザ装置（ＵＥ）を多重化することができる。ここで、加入者端末１１６（向上したユーザ装置、ａｄｖａｎｃｅｄ ＵＥ）は、ランク−４パターン４２０を認識する。一方、加入者端末１１２（レガシーユーザ装置、ｌｅｇａｃｙ ＵＥ）は、ランク−２パターンＡ ４００を認識する。しかし、加入者端末１１２は、ランク−４パターン４２０を認識しない。このような場合に、加入者端末１１２が認識するＤＭ ＲＳインデックスは、ただ０そして１である。このような場合でさえ、基地局１０２は、、加入者端末１１６に対してストリーム（そしてＤＭ ＲＳ）１、２、３を、そして、加入者端末１１２に対してストリーム（そしてＤＭ ＲＳ ０）を割り当てることによって、リソースブロック（ＲＢ）で加入者端末１１２及び加入者端末１１６に対するストリームを多重化することができる。これは、３個のストリームを受信する加入者端末１１６によって０及び１の両者が採択されることのように、もし、１つのランク−３ ＤＭ ＲＳインデックスセットが｛０、１、２｝なら、達成できなかっただろう。
【０１０８】
図９Ａ及び図９Ｂは、本発明の実施形態による向上した加入者端末及びレガシー加入者端末にマッピングされる認識された資源の実施形態を示す。図９Ａ及び図９Ｂに図示された実施形態は、説明のための目的で図示されたものであり、他の実施形態でも本発明の範囲を脱することなく使用されることができる。
【０１０９】
図９Ａ及び図９Ｂに示された実施形態で、多重ユーザマルチ入力マルチ出力（ＭＵ−ＭＩＭＯ）スケジューリングで互いに異なる形式の加入者端末にマッピングされた資源の認識が図示された。基地局１０２は、ストリーム０ ９０５（そしてランク−２パターンＡ ４００でＤＭ ＲＳ ０）を加入者端末１１２に提供する。一方、基地局１０２は、ストリーム１、２、３（そしてランク−４パターン４２０でＤＭ ＲＳ １、２、３）を加入者端末１１６に提供する。加入者端末１１２は、ストリーム０を受信する。そして加入者端末１１２は、他のセットのＲＳ ＲＥの存在を認識することなくデータ信号を復調する。
【０１１０】
ランク−４パターン４２０に対するこの制限方法は、状態（またはＤＭ ＲＳインデ
ックスセット）の数を小さく維持しながら、柔軟な多重ユーザスケジューリング（ｆｌｅｘｉｂｌｅ ｍｕｌｔｉ−ｕｓｅｒ ｓｃｈｅｄｕｌｉｎｇ）を目標にする。システムレベルで、ＩＭＴ−ａｄｖａｎｃｅｄ（Ｉｎｔｅｒｎａｔｉｏｎａｌ Ｍｏｂｉｌｅ Ｔｅｌｅｃｏｍｍｕｎｉｃａｔｉｏｎｓ−Ａｄｖａｎｃｅｄ）に対するＩＴＵ−Ｒ（ＩＴＵ Ｒａｄｉｏ ｃｏｍｍｕｎｉｃａｔｉｏｎ Ｓｅｃｔｏｒ）、国際電気通信連合ラジオ周波数帯域の通信規約）の検証のためのシミュレーションが行われる。加入者端末１１６が他の加入者端末と多重化される時、加入者端末１１６が上位ランクを有する機会は、小さい。したがって、上位ランク（ランク３及びランク４）に対して最小セットのＤＭ ＲＳインデックスセットが提供される間、低いランク（ランク１及びランク２）に対する多重ユーザスケジューリングの柔軟性は、維持される。結果的に、４個の状態がランク１ケース（グループＢ−１ ８０５）を示すために提供される。そして、ランク２ケース（グループＢ−２ ８１０）を示すために２個の状態が提供される。そして、各１つの状態は、ランク３及びランク４（グループＢ−３）を示すために提供される。このような方法で、基地局１０２がリソースブロック（ＲＢ）から多重（複数）の加入者端末信号を多重化する時、基地局１０２は、多重（複数）の加入者端末各々に小さい数のストリームを割り当てることができるある程度の自由を有する。１つの実施形態で、基地局１０２は、グループＢ−１ ８０５で各々４個の状態を指示することによって、各々１つのストリームと４個の加入者端末を多重化する。他の実施形態で、基地局１０２は、加入者端末１１１、加入者端末１１５及び加入者端末１１６のような、３個の加入者端末を多重化する。この時、基地局１０２は、加入者端末１１１に対して２個のストリームで多重化し、加入者端末１１５に対して１個のストリームで多重化し、加入者端末１１６に対して１個のストリームで多重化する。これは、基地局１０２が加入者端末１１１及び加入者端末１１５に対してグループＢ−１ ８０５で｛０｝及び｛１｝を指示することによって、そして、加入者端末１１６に対してグループＢ−２ ８１０で｛２、３｝を指示することによって、加入者端末１１１、加入者端末１１５及び加入者端末１１６のような、３個の加入者端末を多重化する。
【０１１１】
いずれか１つの実施形態で、ランク−２ ＤＭ ＲＳパターンＡ ４００がリソースブロック（ＲＢ）でダウンリンク伝送のために選択される。それでは、基地局１０２は、パターンに対して定義されるどんなインデックスセットでも割り当てることができる。すなわち、このような割り当てることができるインデックスセットは、｛０｝、｛１｝、｛０、１｝（または、状態０、１そして２）である。グループＣ−１は、状態０、１そして２を含む。
【０１１２】
いずれか１つの実施形態で、ランク−２ ＤＭ ＲＳパターンＢ ４０５がリソースブロック（ＲＢ）でダウンリンク伝送に対して選択される。それでは、基地局１０２は、パターンに対して定義されるどんなインデックスセットでも割り当てることができる。すなわち、割り当てることができるインデックスセットは、｛２｝、｛３｝、｛２、３｝（または、状態２７３、２７４そして２７５）である。グループＣ−２は、状態２７３、２７４そして２７５を含む。
【０１１３】
ランク−２ ＤＭ ＲＳパターンＡ ４００及びランク−２ ＤＭ ＲＳパターンＢ ４０５は、ランク−４ ４２０及びランク−８パターン４４０、４５０より小さい数で割り当てられたＤＭ ＲＳ ＲＥを含む。したがって、基地局１０２は、リソースブロック（ＲＢ）でデータリソース要素（ＲＥ、ｒｅｓｏｕｒｃｅ ｅｌｅｍｅｎｔ）をさらに多く割り当てることができる。ランク−２ ＤＭ ＲＳパターン４００、４０５内で多重化されることができるストリームの数が小さくなるにつれて、ランク−２ ＤＭ ＲＳパターン４００、４０５でスケジューリングされた加入者端末は、ＤＭ ＲＳインデックスを割り当てることに対して完全な柔軟性を有することができる。
【０１１４】
１つの実施形態で、制限されたサブセットは、グループＡ、グループＢ−１ ８０５、グループＢ−２ ８１０、グループＢ−３、グループＣ−１、そして、グループＣ−２のうち少なくとも１つのグループから状態を含む。基地局が施行するＤＭ ＲＳパターン、そして基地局１０２が支払う追加シグナリングオーバーヘッドによって、基地局１０２は、ダウンリンクグラントシグナリングに含ませるための状態のグループを選択することができる。
【０１１５】
１つの実施形態で、基地局１０２は、ランク−２パターンＡ ４００、ランク−４パターン４２０、そしてランク−８パターンＡ ４４０を履行することができる。このような場合において、制限されたサブセット（ｒｅｓｔｒｉｃｔｅｄ ｓｕｂｓｅｔ）は、グループＡ、グループＢ−１ ８０５、グループＢ−３、そしてグループＣ−１の状態を含むことができる。グループＡ、グループＢ−１ ８０５、グループＢ−３、そしてグループＣ−１を含む制限されたサブセットは、制限されたサブセットＡと称され、このような制限されたサブセットＡは、Ｎｓ＝１５状態を有する。
【０１１６】
他の実施形態で、基地局１０２は、ランク−２パターンＢ ４０５、ランク−４パターン４２０、そしてランク−８パターンＡ ４４０を履行することができる。このような場合において、制限されたサブセット（ｒｅｓｔｒｉｃｔｅｄ ｓｕｂｓｅｔ）は、グループＡ、グループＢ−１ ８０５、グループＢ−２ ８１０、グループＢ−３そしてグループＣ−２の状態を含むことができる。グループＡ、グループＢ−１ ８０５、グループＢ−２ ８１０、グループＢ−３そしてグループＣ−２を含む制限されたサブセットを制限されたサブセットＢと称することにし、このような制限されたサブセットＢは、Ｎｓ＝１５状態を有する。
【０１１７】
他の実施形態で、基地局１０２は、ランク−４パターン４２０及びランク−８パターンＡ ４４０を履行することができる。このような場合において、制限されたサブセット（ｒｅｓｔｒｉｃｔｅｄ ｓｕｂｓｅｔ）は、グループＡ、グループＢ−１ ８０５、グループＢ−２ ８１０、そして、グループＢ−３で状態を含むことができる。グループＡ、グループＢ−１ ８０５、グループＢ−２ ８１０、そして、グループＢ−３を含む制限されたサブセットは、制限されたサブセットＣと称され、そして、このような制限されたサブセットＣは、Ｎｓ＝１２状態を有する。
【０１１８】
他の実施形態で、基地局１０２は、ランク−２パターンＡ ４００、そしてランク−２パターンＢ ４０５を履行する。このような場合において、制限されたサブセット（ｒｅｓｔｒｉｃｔｅｄ ｓｕｂｓｅｔ）は、グループＣ−１そしてグループＣ−２で状態を含むことができる。グループＣ−１そしてグループＣ−２を含む制限されたサブセットは、サブセットＤと称することにし、制限されたサブセットＤは、６状態を有する。
【０１１９】
他の実施形態で、基地局１０２は、ランク−４パターンＡ ４２０を履行する。このような場合において、制限されたサブセット（ｒｅｓｔｒｉｃｔｅｄ ｓｕｂｓｅｔ）は、グループＢ−１ ８０５、グループＢ−２ ８１０、そして、グループＢ−３で状態を含むことができる。グループＢ−１ ８０５、グループＢ−２ ８１０、そして、グループＢ−３を含む制限されたサブセットは、サブセットＥと称することにし、制限されたサブセットＤは、８状態を有する。
【０１２０】
他の実施形態で、基地局１０２は、ランク−４パターンＡ ４２０、ランク−２パターンＡ ４００、そして、ランク−２パターンＢ ４０５を履行する。このような場合において、制限されたサブセット（ｒｅｓｔｒｉｃｔｅｄ ｓｕｂｓｅｔ）は、グループＢ−１ ８０５、グループＢ−２ ８１０、グループＢ−３、グループＣ−１、そして、グループＣ−２で状態を含むことができる。グループＢ−１ ８０５、グループＢ−２ ８１０、グループＢ−３、グループＣ−１、そして、グループＣ−２を含む制限されたサブセットは、サブセットＦと称することにし、制限されたサブセットＤは、１４状態を有する。
【０１２１】
制限されたサブセットＡ〜Ｆの例示的な構成が表５に要約された。表５で、ＤＭ ＲＳインデックスセットは、制限されたサブセットに対応する各列にリストで羅列された。
【０１２２】
【表５】
0005907875.tif 000006
【０１２３】
表５は、制限されたサブセットＡ〜Ｆの構成の例である。
【０１２４】
一実施形態で、基地局１０２は、加入者端末１１６に上位階層シグナリング（ｈｉｇｈｅｒ−ｌａｙｅｒ ｓｉｇｎａｌｉｎｇ）を利用して制限されたサブセットに対する情報を提供する。制限されたサブセットの情報は、ＤＭ ＲＳパターンの選択されたセットに内包されて伝達されることができる。または、制限されたサブセットの情報は、上位階層シグナリングで伝達される伝送モードで内包されて伝達されることができる。
【０１２５】
一実施形態で、基地局１０２は、加入者端末１１６に上位階層シグナリングを通じて、可能なＤＭ ＲＳパターンのセットがランク−４パターン４２０及びランク−８パターンＡ ４４０であることを通知する情報を伝達することができる。そこでは、可能なＤＭ ＲＳパターンのセットは、加入者端末１１６がダウンリンクグラントを受信した時、加入者端末１１６が推定のために必要な制限されたサブセットが制限されたサブセットＣであることを通知する。
【０１２６】
他の実施形態で、基地局１０２は、加入者端末１１６にランク−２パターンＡ ４００、ランク−４パターン４２０、及び、ランク−８パターンＡ ４４０が支援される伝送モードに対する情報を伝達する。それでは、加入者端末１１６で伝送モードの環境設定（ｃｏｎｆｉｇｕｒａｔｉｏｎ）は、ユーザ装置（ＵＥ、Ｕｓｅｒ Ｅｑｕｉｐｍｅｎｔ）、すなわち加入者端末１１６がダウンリンクグラントを受信した時、加入者端末１１６が推定のために必要な制限されたサブセットが制限されたサブセットＡであることを示す。
【０１２７】
一実施形態で、制限されたサブセットで状態のうち１つの状態は、物理ダウンリンク制御チャネル（ＰＤＣＣＨ）を介してダウンリンク制御情報（ＤＣＩ、ｄｏｗｎｌｉｎｋ ｃｏｎｔｒｏｌ ｉｎｆｏｒｍａｔｉｏｎ）フォーマットのダウンリンクグラントで動的にシグナリングされる（ｓｉｇｎａｌｅｄ）。状態が選択されたＤＭ ＲＳパターンから選択されたＤＭ ＲＳパターン及びＤＭ ＲＳインデックスセットであることを示す時、ダウンリンク制御情報（ＤＣＩ）フォーマットのコードポイント（ｃｏｄｅｐｏｉｎｔ）での状態を伝達する多様な方法が使用されることができる。
【０１２８】
一部の実施形態で、新しいダウンリンク制御情報（ＤＣＩ）フォーマットは、Ｎｓ状態を有する制限されたサブセットで状態に対して十分なコードポイント（ｃｏｄｅｐｏｉｎｔ）を提供するために、存在するダウンリンク制御情報（ＤＣＩ）フォーマットにＮｂビットを追加することによって、存在するダウンリンク制御情報（ＤＣＩ）フォーマットから拡張されて構成される。ここで、Ｎｂは、［ｌｏｇ２ＮＳ］ビットである。Ｎｓ個の状態は、２Ｎｂ個の新しく挿入されたコードポイントのうちＮｓ個のコードポイントに一対一でマッピングされる。
【０１２９】
一実施形態で、Ｎｓ＝８、制限されたサブセットＥに対して、新しいダウンリンク制御情報（ＤＣＩ）フォーマットは、Ｎｂ＝［ｌｏｇ２８］＝３ビットが追加されることによって、例えば、ＬＴＥ Ｒｅｌ−８ ＤＣＩフォーマットのような、存在するＤＣＩフォーマットから構成される。Ｎｓ＝８個の状態からＮｂ＝３によって生成された８個のコードポイントに一対一でマッピングされる一実施形態は、次の通りである。
【０１３０】
【表６】
0005907875.tif 000007
【０１３１】
０００及び１００を除いて、図８に対する３ビットビットマップ指示子（３−ｂｉｔ ｂｉｔｍａｐ ｉｎｄｉｃａｔｉｏｎ）は、ＤＭ ＲＳインデックスセットをＮｂビットの状態にマッピングさせるために適用された。
【０１３２】
一部の実施形態において、Ｎｓ状態を有している制限されたサブセットで状態のために十分なコードポイント（ｃｏｄｅｐｏｉｎｔ）を提供するために、存在するダウンリンク制御情報（ＤＣＩ）フォーマットに、パターン選択のためにＮ１ビットを追加し、ＤＭ ＲＳインデックスセットの指示子（ｉｎｄｉｃａｔｉｏｎ）のためにＮ２ビットを追加することによって、新しいダウンリンク制御情報（ＤＣＩ）フォーマットが存在するダウンリンク制御情報フォーマットから拡張されて構成される。このような場合において、Ｎ１は、［ｌｏｇ２ＮＰ］である。ここで、Ｎｐは、制限されたサブセットが説明することができる複数のＤＭ ＲＳパターンである。Ｎ２は、［ｌｏｇ２ＮＳ］−［ｌｏｇ２ＮＰ］ビットである。Ｎｐ個のＤＭ ＲＳパターンは、２Ｎｂ個の新しく挿入されたコードポイントにマッピングされる。さらに、Ｎ１ビットからのコードポイント（ｃｏｄｅｐｏｉｎｔ）とともに、残りのＮ２ビットは、制限されたサブセットで状態を決定する。
【０１３３】
図１０は、本発明の実施形態によるダウンリンク制御情報（ＤＣＩ）フォーマット２Ｂを示す。図１０に示されたダウンリンク制御情報（ＤＣＩ）フォーマット２Ｂ １０００の実施形態は、ただ、説明のために図示されたものであり、他の実施形態で本発明の範囲を脱することなく使用されることもできる。
【０１３４】
図１０に図示された実施形態において、Ｎ１及びＮ２ビットは、ダウンリンク制御情報（ＤＣＩ）フォーマット２Ｂに追加される。一番目ビットである、Ｎ１ １００５は、ＤＭ ＲＳパターン選択を示すように構成される。二番目ビットである、Ｎ２ １０１０は、ＤＭ ＲＳインデックスセットを示すように構成される。
【０１３５】
ランク−８パターンＡ ４４０及びランク−８パターンＢ ４５０のうちいずれか１つとランク−４パターン４２０のためのものである制限されたサブセットＣでＮｓ＝１２個の状態を指示することに対する一実施形態において、ｄＮ１＝［ｌｏｇ２２］＝１ビット及びＮ２＝［ｌｏｇ２１２］−１＝３ビットは、ダウンリンク制御情報（ＤＣＩ）フォーマットに追加される。表７は、Ｎ１＋Ｎ２ビットによって生成されるコードポイントに対する１２個の状態のマッピングすることに対する実施形態を説明するためのものである。
【０１３６】
【表７】
0005907875.tif 000008
【０１３７】
表７は、本発明の実施形態によるＤＭ ＲＳパターンを決定するＮ１＝１ビットを説明する。
【０１３８】
また、Ｎ２＝３ビットは、Ｎ１ビットによって選択されたＤＭ ＲＳパターン内でインデックスセットを決定する。
【０１３９】
もし、ランク−４パターンが１つのビットによって選択されたら、８個のコードポイント（ｃｏｄｅｐｏｉｎｔ）に８個の関連した状態をマッピングする方法に対する一例が表８に示された。
【０１４０】
【表８】
0005907875.tif 000009
【０１４１】
０００及び１００を除いて、図８に対する３ビットビットマップ指示子（３−ｂｉｔ ｂｉｔｍａｐ ｉｎｄｉｃａｔｉｏｎ）は、ＤＭ ＲＳインデックスセットをＮｂビットの状態にマッピングさせるために適用された。
【０１４２】
もし、ランク８パターン４４０、４５０が１つのビットによって選択されたら、４個のコードポイント（ｃｏｄｅｐｏｉｎｔ）に４個の関連した状態をマッピングする方法に対する一例が表９に示された。
【０１４３】
【表９】
0005907875.tif 000010
【０１４４】
ランク−２パターンＡ ４０５、ランク−４パターン４２０及びランク−８パターンＡ ４４０及びランク−８パターンＢ ４５０のうちいずれか１つのための制限されたサブセットＡでＮｓ＝１５状態を指示するためのことに関連した一実施形態において、Ｎ１＝［ｌｏｇ２３］＝２ビット及びＮ２＝［ｌｏｇ２１５］−１＝２ビットは、ダウンリンク制御情報（ＤＣＩ）フォーマットに追加される。表１０〜表１４は、Ｎ１＋Ｎ２ビットによって生成されたコードポイントに１５個の状態をマッピングすることに関連した実施形態を示す。追加に、制限されたサブセットＢに対して類似のマッピングが行われることができる。
【０１４５】
Ｎ１＝２（個）のビットは、（ＤＭ ＲＳパターンセレクターフィールド）ＤＭ ＲＳパターンを決定することができる。
【０１４６】
【表１０】
0005907875.tif 000011
【０１４７】
Ｎ２＝２（個）のビットは、（ＤＭ ＲＳインデックスセットフィールド）１ビットによって選択される選択されたＤＭ ＲＳパターン内でインデックスを決定することができる。
【０１４８】
もし、前記ランク−８パターン４４０、４５０がＮ１ビットによって選択されれば、４個の関連した状態を４個のコードポイントにマッピングする方法に関連した一実施形態は、次の通りである。
【０１４９】
【表１１】
0005907875.tif 000012
【０１５０】
もし、前記ランク−２パターン４００、４０５がＮ１ビットによって選択されれば、３個の関連した状態を３個のコードポイントにマッピングする方法に関連した一実施形態は、次の通りである。
【０１５１】
【表１２】
0005907875.tif 000013
【０１５２】
もし、前記ランク−４パターン４２０がＮ１ビット＝１０によって選択されれば、４個の関連した状態を４個のコードポイントにマッピングする方法に関連した一実施形態は、次の通りである。
【０１５３】
【表１３】
0005907875.tif 000014
【０１５４】
ＤＭ ＲＳインデックスセットフィールドで２個のビットは、００を除いて、（図８を参照にした詳細な説明で論議された）コード分割多重化（ＣＤＭ、Ｃｏｄｅ Ｄｉｖｉｓｉｏｎ Ｍｕｌｔｉｐｌｅｘｉｎｇ）セット０ ８１５で２個のＤＭ ＲＳ間に割り当てられたＤＭ ＲＳを示すためのビットマップである。００は、４個の可能なランク−３インデックスセットの間で１つのランク−３インデックスセットを示す。
【０１５５】
もし、前記ランク−４パターン４２０がＮ１ビット＝１１によって選択されれば、４個の関連した状態を４個のコードポイントにマッピングする方法に関連した一実施形態は、次の通りである。
【０１５６】
【表１４】
0005907875.tif 000015
【０１５７】
ＤＭ ＲＳインデックスセットフィールドで２個のビットは、００を除いて、コード分割多重化（ＣＤＭ、Ｃｏｄｅ Ｄｉｖｉｓｉｏｎ Ｍｕｌｔｉｐｌｅｘｉｎｇ）セット１ ８２０で２個のＤＭ ＲＳ間で割り当てられたＤＭ ＲＳを示すためのビットマップである。００は、ランク−４インデックスセットを示す。
【０１５８】
図１１は、本発明の実施形態によるダウンリンク制御情報（ＤＣＩ）フォーマット２Ｃを示す。図１１に示されたダウンリンク制御情報（ＤＣＩ）フォーマット２Ｃ １１００は、実施形態を説明するための目的で図示されたものであり、他の実施形態でも本発明の範囲を脱することなく使用されることができる。
【０１５９】
図１１に示された実施形態において、新しいダウンリンク制御情報（ＤＣＩ）フォーマット１１００は、存在するダウンリンク制御情報（ＤＣＩ）フォーマットから拡張されて構成される。新しいダウンリンク制御情報（ＤＣＩ）フォーマット１１００は、選択されたＤＭ ＲＳパターン及びＤＭ ＲＳインデックスセットの組合せを示すように構成されるＮ３ビットを含む。例えば、新しいダウンリンク制御情報（ＤＣＩ）フォーマット１１００は、ダウンリンク制御情報（ＤＣＩ）フォーマット２Ｂ １０００に追加されたＤＭ ＲＳインデックスセット及び選択されたＤＭ ＲＳパターンの組合を示すように構成されたＮ３ビット１１１５を含む。構成された追加のＮ３ビット１１１５及びＤＭ ＲＳインデックスセットは、Ｎｓ状態を有する制限されたサブセットで状態のための十分なコードポイント（ｃｏｄｅｐｏｉｎｔ）を提供する。ダウンリンク制御情報（ＤＣＩ）フォーマット２Ｂで不活性化された伝送ブロック（ＴＢ、ｔｒａｎｓｐｏｒｔ ｂｌｏｃｋ）のＮＤＩ（Ｎｅｗ Ｄａｔａ Ｉｎｄｉｃａｔｏｒ）ビットは、Ｒｅｌ−９ＬＴＥでランク−１指示の場合でＤＭ ＲＳインデックスを指示するために使用される。したがって、Ｎ３ビット１１１５及び不活性化された伝送ブロック（ＴＢ、ｔｒａｎｓｐｏｒｔｂｌｏｃｋ）のＮＤＩ（Ｎｅｗ Ｄａｔａ Ｉｎｄｉｃａｔｏｒ）ビットの組合によって構成されたコードポイントは、制限されたサブセットでランク−１状態を指示するために使用される。
【０１６０】
制限されたサブセットでランク−１インデックスセットのための状態の数は、ＮＳ１である。追加的に、Ｎ３は、［ｌｏｇ２（ＮＳ−ＮＳ１）］ビットである。さらに、１つ以上のインデックス（または、ランク−１インデックスセットを除いた制限されたサブセットでインデックスセット）を有するインデックスセットに対する（ＮＳ−ＮＳ１）個の状態は、２Ｎ３個の新しく挿入されたコードポイントにマッピングされる。それでは、ランク−１インデックスセットは、Ｎ３ビット１１１５からランク−２状態及び不活性化された伝送ブロック（ＴＢ）のＮＤＩビットの組合のコードポイントによって示される。ここで、ランク−１インデックスセットは、ランク−２状態によって表現されるランク−２インデックスのサブセットである。
【０１６１】
この実施形態で説明される方法によるダウンリンク制御情報（ＤＣＩ）フォーマット２Ｃ １１００でコードポイントに制限されたサブセット（ｒｅｓｔｒｉｃｔｅｄ ｓｕｂｓｅｔ）ＣでＮｓ＝１２個の状態をマッピングする方法に関連した一実施形態は、次の通りである。
【０１６２】
【表１５】
0005907875.tif 000016
【０１６３】
この実施形態で説明される方法によるダウンリンク制御情報（ＤＣＩ）フォーマット２Ｃ１１００でコードポイントに制限されたサブセット（ｒｅｓｔｒｉｃｔｅｄ ｓｕｂｓｅｔ）ＥでＮｓ＝８個の状態をマッピングする方法に関連した一実施形態は、次の通りである。
【０１６４】
【表１６】
0005907875.tif 000017
【０１６５】
この実施形態で説明される方法によるダウンリンク制御情報（ＤＣＩ）フォーマット２Ｃ１１００でコードポイントに制限されたサブセット（ｒｅｓｔｒｉｃｔｅｄ ｓｕｂｓｅｔ）ＦでＮｓ＝１４個の状態をマッピングする方法に関連した一実施形態は、次の通りである。
【０１６６】
【表１７】
0005907875.tif 000018
【０１６７】
この実施形態で説明される方法によるダウンリンク制御情報（ＤＣＩ）フォーマット２Ｃ１１００でコードポイントに制限されたサブセット（ｒｅｓｔｒｉｃｔｅｄ ｓｕｂｓｅｔ）ＤでＮｓ＝６個の状態をマッピングする方法に関連した一実施形態は、次の通りである。
【０１６８】
【表１８】
0005907875.tif 000019
【０１６９】
一実施形態において、無線ネットワーク１００は、加入者端末に（無線連結）サービスを提供するため、同一の地理的（ｇｅｏｇｒａｐｈｉｃａｌ）領域に配置される基地局（Ｂａｓｅ ｓｔａｔｉｏｎ）（または、ｅＮｏｄｅＢ）の多重（複数）のカテゴリーを含む異種（ｈｅｔｅｒｏｇｅｎｅｏｕｓ）のネットワークである。いずれか１つの形式の基地局（ＢＳ）は、マクロ基地局（ｍａｃｒｏ ｂａｓｅ ｓｔａｔｉｏｎ）である。マクロ基地局は、比較的大きいパワーで信号を伝送する。このような理由で、マクロ基地局は、広いセルカバレッジを有する。他の形式の基地局（ＢＳ）は、非−マクロ基地局（ｎｏｎ−ｍａｃｒｏｓ ｂａｓｅ ｓｔａｔｉｏｎ）である。これは、ホームｅＮｏｄｅＢ（一般的な基地局、Ｈｏｍｅ ｅＮｏｄｅＢ、ＨｅＮＢ）、ピコｅＮｏｄｅＢ（ピコ基地局、ｐｉｃｏ ｅＮｏｄｅＢ、ｐｉｃｏｓ）、フェムトｅＮｏｄｅＢ（フェムト基地局、ｆｅｍｔｏ ｅＮｏｄｅＢｓ、ｆｅｍｔｏｓ）及び閉鎖型加入者グループ基地局（ｃｌｏｓｅｄ−ｓｕｂｓｃｒｉｂｅｒ−ｇｒｏｕｐ ｅＮｏｄｅＢ、ＣＳＧ、特定サービスに加入された加入者にだけサービスする基地局）を含むことができる。このような形式の基地局は、比較的少ないパワーで信号を伝送し、このような理由でこのような基地局は、マクロ基地局より狭いセルカバレッジを有する。
【０１７０】
セルプランニング（Ｃｅｌｌ ｐｌａｎｎｉｎｇ）は、マクロ基地局の位置を決定するために使用される。マクロ基地局の位置及びセル−特定レファレンス信号（ＣＲＳ）は、最も近い隣接マクロ基地局がインタ−マクロ（ｉｎｔｅｒ−ｍａｃｒｏ）または、インタ−セル（ｉｎｔｅｒ−ｃｅｌｌ）干渉（ｉｎｔｅｒｆｅｒｅｎｃｅ）を抑制することができるようにあらかじめ整列される（ｐｒｅ−ａｒｒａｎｇｅｄ）。例えば、Ｒｅｌ−８ ＬＴＥは、サブフレーム（または１ｍｓｅｃ）の直交周波数分割多重化（ＯＦＤＭ）時間−周波数グリッドでセル特定レファレンス信号（ＣＲＳ）資源の３個の直交する（ｏｒｔｈｏｇｏｎａｌ）セットを提供する。したがって、ネットワークは、３個の異なる（直交する）時間−周波数リソースを収容するために３個の最も近い隣接セルからセル特定レファレンス信号（ＣＲＳ）を割り当てる。さらに、Ｒｅｌ−８ ＬＴＥは、物理セル識別子（ＰＣＩ、ｐｈｙｓｉｃａｌ ｃｅｌｌ−ｉｄ）を直接セル特定レファレンス信号資源に連関させる。そして、このような理由で、ネットワークは、ただ、セル特定レファレンス信号干渉管理のために隣り合うマクロ基地局に対してセル識別子を適当に割り当てることだけが必要である。
【０１７１】
代案的に、非マクロ基地局（ｎｏｎ−ｍａｃｒｏｓ）は、マクロ基地局（ｍａｃｒｏｓ）が位置した後に位置することができる。そして、時には、、非マクロ基地局は、１つ以上のマクロ基地局のカバレッジ領域内に位置することもできる。さらに、いくつかの非マクロ基地局（ｎｏｎ−ｍａｃｒｏｓ）は、ネットワークによるものではなく、個別的に位置することができる。個別的に位置する非マクロ基地局は、セルプランニング（ｃｅｌｌ−ｐｌａｎｎｉｎｇ）を難しくする。一部の場合において、いずれか１つの形式の自体組職されたネットワーク（ＳＯＮ、ｓｅｌｆ−ｏｒｇａｎｉｚｉｎｇ ｎｅｔｗｏｒｋ）技術が使用される。そして既に存在するセルに対してセル間（ｉｎｔｅｒ−ｃｅｌｌ）干渉を最小化する結果を有するように、非マクロ基地局にセル識別子及びセル特定レファレンス信号（ＣＲＳ）が与えられる（割り当てられる）。しかし、直交する（ｏｒｔｈｏｇｏｎａｌ）セル特定レファレンス信号（ＣＲＳ）資源の数が制限的であり、多くの数の非マクロ基地局がマクロ基地局のカバレッジ内に位置する時、前述したような形式の技術は、セル間の干渉問題（ｉｎｔｅｒ−ｃｅｌｌ ｉｎｔｅｒｆｅｒｅｎｃｅ ｉｓｓｕｅ）を成功的に解決することができないかも知れない。２０１０年１月、３ＧＰＰ ＲＡＮ１＃５９ｂｉｓで、クォルコム社（Ｑｕａｌｃｏｍｍ Ｉｎｃ）によって発表された、Ｒ１−１００６８１、“Ｆｕｒｔｈｅｒ ｄｅｔａｉｌｓ ｏｎ ＣＳＩ−ＲＳ、”によれば、異種のネットワークでセル間のチャネル状態情報レファレンス信号（ＣＳＩ−ＲＳ、Ｃｈａｎｎｅｌ Ｓｔａｔｅ Ｉｎｆｏｒｍａｔｉｏｎ Ｒｅｆｅｒｅｎｃｅ Ｓｉｇｎａｌ）マッピングのために多重（複数）のセルから部分的オーバーラップを許容する。該当する文献は、参照としてその全体が本発明の文献に含まれる。しかし、これは、完全な解決策ではない。なぜならば、直交する（ｏｒｔｈｏｇｏｎａｌ）セル特定レファレンス信号（ＣＲＳ）パターンに頼るよく樹立されたセルプランニング方法は、活用することができないからである。
【０１７２】
本発明の実施形態は、ＤＭ−ＲＳポート割り当てのための動的シグナリング方法を提供する。このＤＭ−ＲＳポート割り当てのための動的シグナリング方法は、（１）サブフレームでリソースブロック（ＲＢ）が異なるＤＭ ＲＳパターンを有することを許容する。そして、（２）複数の加入者端末が同一のリソースブロック（ＲＢ）内で、各々異なるナンバーの階層をもって、スケジューリングされることを許容する。
【０１７３】
ランク−２パターンＡ ４００及びランク−２パターン４０５、ランク−４パターン４２０及びランク−８パターン４４０、４５０のうちいずれか１つのパターンから、すべての可能な状態の全体数は、３（ランク−２パターン）＋１５（ランク−４パターン）＋２５５（ランク−８パターン）＝２７３である。ここで、各状態は、選択されたＤＭ ＲＳパターン内でＤＭ ＲＳインデックスセット及び選択されたＤＭ ＲＳパターンの組合に関連した情報を伝達する。２７３個の状態は、動作ダウンリンクグラントであまりにも多く指示されることができるから、本発明の実施形態によれば、２７３個の状態のサブセットを選択することによって状態を減少させる（サブセット制限方法によって示される）多様な方法を提供する。
【０１７４】
状態を減少させるための第１の方法（以下、“多重ユーザ多重入力多重出力（ＭＵ−ＭＩＭＯ）指示方法１”のように称する）において、ランクパターンは、他の状態を指示するために使用される。例えば、ランク−２パターン４００、４０５は、単一ユーザ多重入力多重出力（ＳＵ−ＭＩＭＯ）及び多重ユーザ多重入力多重出力（ＭＵ−ＭＩＭＯ）に使用される。これは、ＤＭ ＲＳポート指示子が｛０｝、｛１｝、｛０、１｝以外に１つの状態を割り当てることができるということを意味する。ランク−４パターン４２０は、単一ユーザ多重入力多重出力（ＳＵ−ＭＩＭＯ）及び多重ユーザ多重入力多重出力（ＭＵ−ＭＩＭＯ）の両方に使用される。これは、すべてのランク−１状態、｛０｝、｛１｝、｛２｝及び｛３｝を含む。例えば、｛０、１｝、｛２、３｝のような２個のランク−２状態を含む。例えば、｛１、２、３｝のようなただ１つのランク−３状態を含む。及び例えば、｛０、１、２、３｝のようなただ１つのランク−４状態を含む。さらに、もし、ランク−８パターン４４０、４５０が支援されたら（例えば、もし、８−伝送（Ｔｘ）基地局ｅＮｏｄｅＢが使用されたら）、ランク−８パターン４４０、４５０には、ただ単一ユーザ多重入力多重出力（ＳＵ−ＭＩＭＯ）だけに対して使用される。これは、ランク−８パターン４４０、４５０が使用される時、ＤＭ ＲＳポート指示子が少なくとも５個のストリームを加入者端末１１６に割り当てることができることを意味する。ここで、含まれることは、ランク５、ランク６、ランク７及びランク８に対応する４個の状態である。
【０１７５】
状態を減少させるための他の方法（以下、“多重ユーザ多重入力多重出力（ＭＵ−ＭＩＭＯ）指示方法２”のように称する）において、ランク−２パターン４００、４０５は、単一ユーザ多重入力多重出力（ＳＵ−ＭＩＭＯ）及び多重ユーザ多重入力多重出力（ＭＵ−ＭＩＭＯ）の両方に使用される。これは、ＤＭ ＲＳポート指示子が｛０｝、｛１｝、｛０、１｝以外に１つの状態を割り当てることができることを意味する。ランク−４パターン４２０は、ただＳＵ−ＭＩＭＯにだけ使用される。ここに含まれることは、例えば、｛１、２、３｝のような、ただ１つのランク−３状態及び、例えば、｛０、１、２、３｝のような、ただ１つのランク−４状態である。追加に、もし、ランク−８パターン４４０、４５０が支援されたら（例えば、もし８−伝送基地局ｅＮｏｄｅＢが使用されたら）、ランク−８パターン４４０、４５０は、ただＳＵ−ＭＩＭＯだけに対して使用される。これは、ランク−８パターンが使用される時、ＤＭ ＲＳポート指示子が少なくとも５個のストリームを加入者端末１１６に割り当てることができることを意味する。ここで、含まれることは、ランク５、ランク６、ランク７及びランク８に対応する４個の状態である。
【０１７６】
サブセット制限方法が与えられれば、本発明の実施形態は、単一多重入力多重出力／多重ユーザ多重入力多重出力（ＳＵ−／ＭＵ−ＭＩＭＯ）シグナリングを構成するための方法を提供する。新しいダウンリンク制御情報（ＤＣＩ）フォーマットは、図１０及び図１１で示されたように既に存在するダウンリンク制御情報（ＤＣＩ）フォーマットから拡張されることによって構成される。
【０１７７】
２０１０年２月、三星によって、３ＧＰＰ ＲＡＮ１＃６０会議で発表された、“Ｄｉｓｃｕｓｓｉｏｎｏｎ Ｌａｙｅｒ ｔｏ ＤＭ ＲＳ ｍａｐｐｉｎｇ”によれば、階層をＤＭ ＲＳポートにマッピングする方法が伝送ランクが次の表１９に示されたように、少なくとも３個である時、提案される。このコンテンツは、その全体が参照として本発明の文献に含まれる。
【０１７８】
【表１９】
0005907875.tif 000020
【０１７９】
表１９は、階層をＤＭ ＲＳポートに対してマッピングする実施形態である。
【０１８０】
図１２は、本発明の実施形態によるＤＭ ＲＳアンテナポート指示プロセスを示す。図１３は、本発明の実施形態によるＤＭ ＲＳアンテナポート受信プロセスを示す。図１２及び図１３で示された指示プロセス１２００及び受信プロセス１３００の実施形態は、ただ説明のための目的で図示された。他の実施形態でも本発明の範囲を逸脱することなく使用されることができる。
【０１８１】
ブロック１２０５で、基地局１０２は、どのアンテナポートが加入者端末１１６のために使用されるかを決定する。基地局１０２は、ブロック１２１０で加入者端末１１６に対するアンテナポート情報を含むダウンリンク制御情報（ＤＣＩ）を構成する。基地局１０２は、ブロック１２１５でダウンリンク制御情報（ＤＣＩ）をエンコードする。ブロック１２２０で、基地局１０２は、エンコードされたダウンリンク制御情報（ＤＣＩ）を物理資源（ｐｈｙｓｉｃａｌ ｒｅｓｏｕｒｃｅ）にマッピングし、直交周波数分割多重化（ＯＦＤＭ）信号を伝送する。
【０１８２】
ブロック１３０５で、加入者端末１１６は、直交周波数分割多重化（ＯＦＤＭ）信号を基地局１０２から受信する。ブロック１３１０で、加入者端末１１６は、直交周波数分割多重化（ＯＦＤＭ）信号で加入者端末１１６に対して意図された（加入者端末１１６に対して伝送することに意図された）エンコードされたダウンリンク制御情報（ＤＣＩ）を探す。加入者端末１１６は、ダウンリンク制御情報（ＤＣＩ）をブロック１３１５でデコーディングする。その後、加入者端末１１６は、ブロック１３２０でダウンリンク制御情報（ＤＣＩ）を読み出すことによって加入者端末１１６のために使用された割り当てられたアンテナポートを探す。
【０１８３】
本発明の実施形態は、ダウンリンク制御情報（ＤＣＩ）を構成するための方法を提供する。このようなダウンリンク制御情報（ＤＣＩ）は、（例えば、図１２からブロック１２１０のような）１つ以上のダウンリンク伝送で加入者端末１１６のために割り当てられたアンテナポート（ＡＰ、ａｎｔｅｎｎａ ｐｏｒｔ）インデックスを含む。本発明の実施形態は、また、加入者端末がダウンリンク制御情報（ＤＣＩ）からアンテナポート（ＡＰ）インデックスを探すことができる方法を提供する。
【０１８４】
図１４は、本発明の実施形態によるダウンリンク制御情報（ＤＣＩ）フォーマット２Ｃを示す。図１４に示されたダウンリンク制御情報（ＤＣＩ）フォーマット２Ｃ１４００の実施形態は、ただ説明のために図示され、他の実施形態でも本発明の範囲を脱することなく使用されることができる。
【０１８５】
ダウンリンク制御情報（ＤＣＩ）フォーマット２Ｃ １４００は、少なくとも１つの加入者端末に対して１つ以上のダウンリンク伝送をグラント（ｇｒａｎｔｉｎｇ）するためのダウンリンク制御情報（ＤＣＩ）フォーマット２Ｂを修正することによって構成される。ここで、上述した修正は、スクランブリング識別子（ｓｃｒａｍｂｌｉｎｇ ｉｄｅｎｔｉｔｙ）の１つの情報要素を除去すること、そして、新しいＮ４−ビット情報要素１４０５を追加することを含む。新しいＮ４−ビット情報要素１４０５は、１つ以上のダウンリンク伝送のためのアンテナポート（ＡＰ）インデックスに使用され、これを“アンテナポート指示子（ａｎｔｅｎｎａ ｐｏｒｔ ｉｎｄｉｃａｔｉｏｎ）”と称する。
【０１８６】
この場合において、ダウンリンク制御情報（ＤＣＩ）フォーマット２Ｃは、次に説明される通りである。
【０１８７】
次の情報は、ダウンリンク制御情報（ＤＣＩ）フォーマット２Ｃの手段によって伝送される。
【０１８８】
−リソース割り当てヘッダー（リソース割り当て形式０／形式１）−１ビット
これは、２００９年１２月、３ＧＰＰ ＴＳ ３６．２１３ ｖ ９．０．１のセクション７．１．６、“Ｅ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）”に定義されていて、この内容は、全体として本発明の文献に含まれる。
【０１８９】
もし、ダウンリンク帯域幅が１０個の物理リソースブロック（ＰＲＢ、Ｐｈｙｓｉｃａｌ Ｒｅｓｏｕｒｃｅ Ｂｌｏｃｋ）と小さいかまたは同一であれば、リソース割り当てヘッダーは存在しなく、リソース割り当て形式０であると仮定される。
−リソースブロック割り当て
−リソース割り当て形式０に対してＥ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）のセクション７．１．６．１に定義される
−［ＮＲＢＤＬ／Ｐ］ビットは、リソース割り当てを提供する
−リソース割り当て形式１に対してＥ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）のセクション７．１．６．２に定義される
−このようなフィールドの［ｌｏｇ２Ｐ］ビットは、選択されたリソースブロックサブセットを指示するためのリソース割り当てに特定されたヘッダーとして使用される
−１ビットは、リソース割り当て幅（ｒｅｓｏｕｒｃｅ ａｌｌｏｃａｔｉｏｎ ｓｐａｎ）の移動（ｓｈｉｆｔ）を示す
−［ＮＲＢＤＬ／Ｐ］−［ｌｏｇ２Ｐ］−１ビットは、リソース割り当てを提供する
【０１９０】
ここで、Ｐの値は、Ｅ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）のセクション７．１．６．１で示されたようなダウンリンクリソースブロック（ＤＬ ｒｅｓｏｕｒｃｅ ｂｌｏｃｋｓ）の数による。
【０１９１】
物理アップリンク制御チャネル（ＰＵＣＣＨ、Ｐｈｙｓｉｃａｌ Ｕｐｌｉｎｋ Ｃｏｎｔｒｏｌ ＣＨａｎｎｅｌ）に対する伝送電力制御（ＴＰＣ、Ｔｒａｎｓｍｉｓｓｉｏｎ Ｐｏｗｅｒ Ｃｏｎｔｒｏｌ）命令−物理階層プロシージャ（Ｅ−ＵＴＲＡ、Ｐｈｙｓｉｃａｌ Ｌａｙｅｒ Ｐｒｏｃｅｄｕｒｅｓ）のセクション５．１．２．１で定義されているように２ビット
−ダウンリンク割り当てインデックス（Ｄｏｗｎｌｉｎｋ Ａｓｓｉｇｎｍｅｎｔ Ｉｎｄｅｘ）−２ビット（このフィールドは、すべてのアップリンク−ダウンリンク構成に対して時間分割二重化（ＴＤＤ、Ｔｉｍｅ Ｄｉｖｉｓｉｏｎ Ｄｕｐｌｅｘ）方式で提供され、そして、ただアップリンク−ダウンリンク構成１−６と一緒に時間分割二重化ＴＤＤ動作に適用される。このフィールドは、周波数分割二重化（ＦＤＤ、Ｆｒｅｑｕｅｎｃｙ Ｄｉｖｉｓｉｏｎ Ｄｕｐｌｅｘ）方式で提供されない。
−ＨＡＲＱ（Ｈｙｂｒｉｄ ａｕｔｏｍａｔｉｃ ｒｅｐｅａｔ ｒｅｑｕｅｓｔ）プロセス番号−３ビットＦＤＤ、４ビットＴＤＤ
−アンテナポート指示子−Ｎ４ビット
追加に、伝送ブロック１に対して：
−変調及びコーディングスキーム−Ｅ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）のセクション７．１．７で定義されているように５ビット
−新規データ指示子（ＮＤＩ、Ｎｅｗ ｄａｔａ ｉｎｄｉｃａｔｏｒ）−１ビット
−リダンダンシーバージョン−２ビット
追加に、伝送ブロック２に対して：
−変調及びコーディングスキーム−Ｅ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）のセクション７．１．７で定義されているように５ビット
−新規データ指示子（ＮＤＩ、Ｎｅｗ ｄａｔａ ｉｎｄｉｃａｔｏｒ）−１ビット
−リダンダンシーバージョン−２ビット
【０１９２】
もし、階層の数が２のような、すべての伝送ブロック（ＴＢ、ｔｒａｎｓｐｏｒｔ ｂｌｏｃｋ）が活性化される場合、伝送ブロック（ＴＢ）１は、コードワード０にマッピングされ、そして、伝送ブロック（ＴＢ）２は、コードワード１にマッピングされる。アンテナポート７、８、９、１０、１１、１２、１３及び１４は、空間多重化（ｓｐａｔｉａｌ ｍｕｌｔｉｐｌｅｘｉｎｇ）に使用される。
【０１９３】
階層の数が１のような、伝送ブロック（ＴＢ）のうちいずれか１つが不活性化される場合において、伝送ブロック（ＴＢ）をコードワード（ｃｏｄｅｗｏｒｄ）にマッピングさせることは、表２０によって特定されることができる。そして、伝送のためのアンテナポートインデックスは、他の表によって決定される。ここで、他の表は、アンテナポートマッピングテーブル（ａｎｔｅｎｎａ ｐｏｒｔ ｍａｐｐｉｎｇ ｔａｂｌｅ）と称し、このようなアンテナポートマッピングテーブルに対するいくつかの実施形態が下記で説明される。
【０１９４】
【表２０】
0005907875.tif 000021
【０１９５】
表２０は、（１つの伝送ブロックが活性化される時）伝送ブロック（ＴＢ）をコードワードにマッピングすることを示す。
【０１９６】
もし、フォーマット２Ｂで情報ビットの数がＥ−ＵＴＲＡ、物理階層プロシージャ（Ｅ−ＵＴＲＡ、Ｐｈｙｓｉｃａｌ Ｌａｙｅｒ Ｐｒｏｃｅｄｕｒｅｓ）の表５．３．３．１．２−１に記述されたサイズのうち１つに属したら、１つの０（ｚｅｒｏ）ビットがフォーマット２Ｂに添付される。
【０１９７】
いずれか１つの実施形態において、アンテナポート指示子のＮ４−ビット情報要素１４０５に対して割り当てられるＮ４個のビットは、加入者端末１１６で受信アンテナの数及び基地局１０２で伝送アンテナの数のうち１つによって少なくとも部分的に決定されることができる。
【０１９８】
一実施形態で、Ｎ４は、表２１及び表２２に示されたように、基地局１０２で伝送アンテナの数によって決定されることができる。
【０１９９】
【表２１】
0005907875.tif 000022
【０２００】
表２１は、Ｎ４数に対する一実施形態である。
【０２０１】
【表２２】
0005907875.tif 000023
【０２０２】
表２２は、Ｎ４数に対する一実施形態である。
【０２０３】
他の実施形態で、Ｎ４は、次の２個の数のうち最小値によって決定されることができる。表２３及び表２４で示されたように、１つの数は、基地局１０２から伝送（Ｔｘ）アンテナの数であり、一方、他の１つの数は、加入者端末１１６から受信（ＲＸ）アンテナの数である。
【０２０４】
【表２３】
0005907875.tif 000024
【０２０５】
表２３は、Ｎ４数に対する一実施形態である。
【０２０６】
【表２４】
0005907875.tif 000025
【０２０７】
表２４は、Ｎ４数に対する一実施形態である。
【０２０８】
いずれか１つの実施形態において、もし存在したら、伝送ブロック（ＴＢ）のＮＤＩビットと、Ｎ３−ビットまたはＮ４−ビットアンテナポート指示子のうち少なくとも１つによって形成されるコードポイントを選択することによって、下記にリストで羅列された状態以外のものがダウンリンク制御情報（ＤＣＩ）フォーマット２Ｃ １１００、または、ダウンリンク制御情報（ＤＣＩ）フォーマット２Ｃ １４００で伝達されることができる。表２５で、状態は、少なくとも１つの選択されたＤＭ ＲＳパターン、選択されたパターン内でアンテナポート（ＡＰ）インデックス、スクランブリング識別子（ＳＣ−ＩＤ、ｓｃｒａｍｂｌｉｎｇ ｉｄ）、伝送が新しい伝送であるか、あるいは、ＨＡＲＱ（Ｈｙｂｒｉｄ ａｕｔｏｍａｔｉｃ ｒｅｐｅａｔ ｒｅｑｕｅｓｔ）再伝送であるか否か（新規伝送／再伝送可否）、及び伝送で伝送された伝送ブロック（ＴＢ）の番号（＃ＴＢｓ）のうち少なくとも１つに関連する。
【０２０９】
そのテーブルエントリー（ｔａｂｌｅ ｅｎｔｒｉｅｓ）によって示される情報の一部は、次の通りである。
【０２１０】
ＤＭ ＲＳパターンカラム（ｃｏｌｕｍｎ）で各エントリー（ｅｎｔｒｙ）は、ダウンリンク制御情報（ＤＣＩ）１１００、１４００によって指示されるＤＭ ＲＳパターンを示す。ここで、ランク−２パターン４００、４０５、ランク−４パターン４２０及びランク−８パターン４４０、４５０は、図４Ａ〜図４Ｅで定義される。
【０２１１】
ポートインデックスカラムで、各エントリーは、ダウンリンク制御情報（ＤＣＩ）１１００、１４００によって指示されるアンテナポート（ＡＰ）インデックスを示し、ここで、その数は、ＬＴＥ−Ａｄｖａｎｃｅｄ標準で定義される各々のアンテナポート（ＡＰ）を示す。ダウンリンク制御情報（ＤＣＩ）１１００、１４００によって指示されるポートインデックスの数が２より大きい時、ポートインデックスに対して多重選択が存在することができる。いくつかの実施形態を表２６に示した。
【０２１２】
実施形態１（Ｅｘａｍｐｌｅ １）でラベルが付いたカラムでエントリーは、上位（ｔｏｐ）コード分割多重化（ＣＤＭ）セット（すなわち、図４ＥでＫでラベルが付いたＤＭ ＲＳ ＲＥ）が下位（ｂｏｔｔｏｍ）コード分割多重化ＣＤＭセット（すなわち、図４ＥでＬでラベルが付いたＤＭ ＲＳ ＲＥ）よりさらに大きい数のアンテナポート（ＡＰ）に対するＤＭ ＲＳを含む。そして、これと同時に、同一のコードワードからの階層のためのＤＭ ＲＳは、１つのコード分割多重化（ＣＤＭ）セットにマッピングされる。
【０２１３】
実施形態２（Ｅｘａｍｐｌｅ ２）でラベルが付いたカラムでエントリーは、階層０〜７に対するＤＭ ＲＳがアンテナポート（ＡＰ）７〜１４のためのＤＭ ＲＳ ＲＥに一対一対応する方式で、すなわち、階層０⇒アンテナポート（ＡＰ）７、階層⇒アンテナポート（ＡＰ）８、…、階層７⇒アンテナポート（ＡＰ）１４のように、順次に、マッピングされることができるように選択される。
【０２１４】
（新規伝送（Ｎｅｗ−ＴＸ）または再伝送（Ｒｅ−ＴＸ）で最初伝送）最初伝送アンテナポート（ＡＰ）インデックスセットのために、実施形態３（Ｅｘａｍｐｌｅ ３）でラベルが付いたカラムでエントリーは、実施形態１（Ｅｘａｍｐｌｅ １）及び実施形態２（Ｅｘａｍｐｌｅ ２）で使用された２個の方法のうちいずれか１つに選択される。代案的に、再伝送アンテナポート（ＡＰ）インデックスセット（Ｓｅｔ＿Ｒ３＿ｒｅ及びＳｅｔ＿Ｒ４＿ｒｅ）は、上位（ｔｏｐ）コード分割多重化（ＣＤＭ）セットに対応するＤＭ ＲＳアンテナポート（ＡＰ）で構成される。
【０２１５】
スクランブリング識別子（ＳＣ−ＩＤ、ｓｃｒａｍｂｌｉｎｇ ｉｄｅｎｔｉｆｉｅｒ）カラムで各エントリーは、ダウンリンク制御情報（ＤＣＩ）１１００、１４００によって指示されるスクランブリング識別子（ＳＣ−ＩＤ）を示す。ここで、その数は、２００９年１２月発行された、３ＧＰＰ ＴＳ ３６．２１２ ｖ９．０．０、“Ｅ−ＵＴＲＡ、多重化及びチャネルコーディング（Ｅ−ＵＴＲＡ、Ｍｕｌｔｉｐｌｅｘｉｎｇ ａｎｄ Ｃｈａｎｎｅｌ ｃｏｄｉｎｇ）”に定義されている各々のスクランブリング識別子（ＳＣ−ＩＤ）を示す。この内容は、参照として本発明の文献に全体が含まれる。  
【０２１６】
【表２５】
0005907875.tif 000026
【０２１７】
表２５は、使用されない伝送ブロック（ＴＢ）のＮＤＩ（Ｎｅｗ Ｄａｔａ Ｉｎｄｉｃａｔｏｒ）ビット及びＮ４−ビットアンテナポート指示子（またはＮ３ビットアンテナポート指示子）のうち少なくとも１つによって示される状態のリストである。
【０２１８】
【表２６】
0005907875.tif 000027
【０２１９】
表２６は、上位ランク（アンテナポート（ＡＰ）の番号＞２）のためにダウンリンク制御情報（ＤＣＩ）フォーマットによって伝達されるアンテナポート（ＡＰ、ａｎｔｅｎｎａ ｐｏｒｔ）番号の実施形態である。
【０２２０】
状態指示子実施形態１：８個の伝送基地局（ｅＮｏｄｅＢ）のためのダウンリンク制御情報（ＤＣＩ）フォーマット２Ｃ、ここで、ランク−４パターンは、ランクが３と同一であるかまたは大きい時、ただ単一ユーザ多重入力多重出力（ＳＵ−ＭＩＭＯ）のために使用される（すなわち、バックグラウンドセクションで多重ユーザ多重入力多重出力（ＭＵ−ＭＩＭＯ）指示方法２）。
【０２２１】
ランク−４ ＤＭ ＲＳパターン４２０がランクが３と同一であるかまたは大きい場合に対してただ単一ユーザ多重入力多重出力（ＳＵ−ＭＩＭＯ）だけに対して使用される時、ダウンリンク制御情報（ＤＣＩ）、１１００、１４００は、ランク−４ ＤＭ ＲＳパターン４２０で３より少ないアンテナポート（ＡＰ）インデックスと関連した状態を示さない。８個のそのような状態が表２５に存在する。これは、８、９、…、１５である。このような８個の状態を除去すれば、状態の全体数は、１６個になる。活性化された伝送ブロック（ＴＢ）の数が１つであるかまたは２つであるか否かによって、ダウンリンク制御情報（ＤＣＩ）フォーマット２Ｃ １１００、１４００でコードポイントは、表２７及び表２８にあるようなＤＭ ＲＳポート情報に関連した状態を伝達する。
【０２２２】
本発明の実施形態は、ＤＭ ＲＳポートの完全なテーブル、ＤＭ ＲＳパターン及び関連したたＤＭ ＲＳに対するスクランブリング識別子（ＳＣＩＤ）を示すために、１個の活性化された伝送ブロック（ＴＢ）と２個の活性化された伝送ブロック（ＴＢ）を区分するダウンリンク制御情報（ＤＣＩ）フォーマット１１００、１４００でコードポイントと、ダウンリンク制御情報（ＤＣＩ）フォーマット２Ｃ １１００、１４００で新しい３ビットフィールド（アンテナポート（ＡＰ）指示子）（Ｎ３ビットフィールド１１１５またはＮ４ビットフィールド１４０５）を組み合わせる。もし、活性化された伝送ブロック（ＴＢ）の数が１個であれば、それでは、この３ビットフィールド１１１５は、４ビットフィールド１４０５を形成するために不活性化された伝送ブロック（ＴＢ）の新規データ指示子（ＮＤＩ、Ｎｅｗ ｄａｔａ ｉｎｄｉｃａｔｏｒ）ビットと組み合わせられることができる。この３ビットフィールド１１１５及び組み合わせられた４ビットフィールド１４０５のうち選択されたいずれか１つが表２７に示されたような８個の状態以外に１つの状態を示すために使用されることができる。もし、活性化された伝送ブロック（ＴＢ）の数が２個であれば、それでは、この３ビットフィールドは、表２８に示されたような状態テーブルを示すために使用されることができる。
【０２２３】
【表２７】
0005907875.tif 000028
【０２２４】
表２７は、ただ１つの伝送ブロック（ＴＢ）が活性化された時、アンテナポートマッピングテーブル実施形態１である。
【０２２５】
【表２８】
0005907875.tif 000029
【０２２６】
表２８は、ただ１つの伝送ブロック（ＴＢ）が活性化される時、アンテナポートマッピングテーブル実施形態１である。
【０２２７】
状態指示子実施形態２：４個の伝送基地局（ｅＮｏｄｅＢ）のためのダウンリンク制御情報（ＤＣＩ）フォーマット２Ｃ、ここで、ランク−４パターンは、ランクが３と同一であるかまたは大きい時、ただ単一ユーザ−多重入力多重出力（ＳＵ−ＭＩＭＯ）のために使用される（すなわち、バックグラウンドセクションで多重ユーザ多重入力多重出力（ＭＵ−ＭＩＭＯ）指示方法２）。
【０２２８】
ランク８パターンと関連した表２５の状態から４個の状態（状態２０、２１、２２、２３）は、状態指示子実施形態１で除去された８個の状態に加えてさらに減少する。したがって、状態の全体数は、１２（２４−８−４）個となる。活性化された伝送ブロック（ＴＢ）の数が１個であるかあるいは、２個であるか否かによって、ダウンリンク制御情報（ＤＣＩ）フォーマット２Ｃ １１００、１４００でコードポイントは、表２９及び表３０のようなＤＭ ＲＳポート情報に関連した状態を伝達することができる。
【０２２９】
本発明の実施形態は、ＤＭ ＲＳポートの完全なテーブル、ＤＭ ＲＳパターン及び関連したＤＭ ＲＳに対するスクランブリング識別子（ＳＣ ＩＤ）を示すために、１個の活性化された伝送ブロック（ＴＢ）と２個の活性化された伝送ブロック（ＴＢ）を区分するダウンリンク制御情報（ＤＣＩ）フォーマット１１００、１４００でコードポイントと、ダウンリンク制御情報（ＤＣＩ）フォーマット２Ｃ １１００、１４００で新しい２ビットフィールド（アンテナポート（ＡＰ）指示子）（Ｎ３ビットフィールド１１１５またはＮ４ビットフィールド１４０５）を組み合わせる。もし、活性化された伝送ブロック（ＴＢ）の数が１個であれば、それでは、この２ビットフィールド１１１５は、３ビットフィールド１４０５を形成するために不活性化された伝送ブロック（ＴＢ）の新規データ指示子（ＮＤＩ、Ｎｅｗ ｄａｔａ ｉｎｄｉｃａｔｏｒ）ビットと組み合わせられることができる。この組み合わせられた３ビットフィールド１４０５は、表２９に示されたような６個の状態以外に１つの状態を示すために使用されることができる。もし、活性化された伝送ブロック（ＴＢ）の数が２個であれば、それでは、この２ビットフィールド１１１５は、表３０に示されたような状態テーブルを示すために使用されることができる。
【０２３０】
【表２９】
0005907875.tif 000030
【０２３１】
表２９は、ただ１つの伝送ブロックが活性化された時、アンテナポートマッピングテーブル実施形態２である。
【０２３２】
【表３０】
0005907875.tif 000031
【０２３３】
表３０は、ただ１つの伝送ブロックが活性化された時、アンテナポートマッピングテーブル実施形態２である。
【０２３４】
状態指示子実施形態３：８個の伝送（Ｔｘ）基地局（ｅＮｏｄｅＢ）のためのダウンリンク制御情報（ＤＣＩ）フォーマット２Ｃ、ここで、ランク−４パターンが単一ユーザ多重入力多重出力（ＳＵ−ＭＩＭＯ）及び多重ユーザ多重入力多重出力（ＭＵ−ＭＩＭＯ）の両方のために使用される（すなわち、バックグラウンドセクションでＭＵ−ＭＩＭＯ指示方法１）
【０２３５】
ランク−４ ＤＭ ＲＳパターン４２０がただ単一ユーザ多重入力多重出力（ＳＵ−ＭＩＭＯ）及び多重ユーザ多重入力多重出力（ＭＵ−ＭＩＭＯ）の両方のために使用される時、すべての状態は、ダウンリンク制御情報（ＤＣＩ）２Ｃ １１００、１４００でコードポイントを利用する表２５によって示すことができる。
【０２３６】
表１５に示されたように、１個の伝送ブロック（ＴＢ、ｔｒａｎｓｐｏｒｔ ｂｌｏｃｋ）と関連した１４個の状態が存在する。一方、２個の伝送ブロック（ＴＢ）と関連した１０個の状態が存在する。
【０２３７】
このような実施形態において、新しい４ビットフィールド（アンテナポート（ＡＰ）指示子）は、ダウンリンク制御情報（ＤＣＩ）フォーマット２Ｃ １１００、１４００を構成するために、ダウンリンク制御情報（ＤＣＩ）フォーマット２Ｂ １０００に追加される（すなわち、Ｎ３ビットフィールド１１１５またはＮ４ビットフィールド１４０５を追加する）。１個の伝送ブロック（ＴＢ）が活性化された場合及び２個の伝送ブロック（ＴＢ）が活性化された場合の両方で、４ビットフィールドによって生成された１６個のコードポイントは、すべての関連した状態を示すに十分である。すべての関連した状態というのは、１個の伝送ブロック（ＴＢ）が活性化された時は、１４個の状態であり、２個の状態が活性化された時は、１０個の状態である。
【０２３８】
本発明の実施形態において、ＤＭ ＲＳポートの完全なテーブル、ＤＭ ＲＳパターン及び関連したＤＭ ＲＳに対するスクランブリング識別子（ＳＣ ＩＤ）を示すために、ダウンリンク制御情報（ＤＣＩ）フォーマット２Ｃ １１００、１４００で新しい４ビットフィールド（アンテナポート（ＡＰ）指示子）（Ｎ３ビットフィールド１１１５またはＮ４ビットフィールド１４０５）は、１個の活性化された伝送ブロック（ＴＢ）と２個の活性化された伝送ブロック（ＴＢ）の場合を区分するダウンリンク制御情報（ＤＣＩ）フォーマット１１００、１４００でコードポイントと組み合わせられる。もし、活性化された伝送ブロック（ＴＢ）の数が１個であれば、それでは、この４ビットフィールド１１１５は、５ビットフィールド１４０５を形成するために不活性化された伝送ブロック（ＴＢ）の新規データ指示子（ＮＤＩ、Ｎｅｗ ｄａｔａ ｉｎｄｉｃａｔｏｒ）ビットと組み合わせられることができる。この４ビットフィールド１１１５または、組み合わせられた５ビットフィールドのうち選択されたいずれか１つが表３１に示されたような１４個の状態以外に１つの状態を示すために使用されることができる。もし、活性化された伝送ブロック（ＴＢ）の数が２個であれば、それでは、この４ビットフィールドは、表３２に示されたような状態テーブルを示すために使用されることができる。
【０２３９】
【表３１】
0005907875.tif 000032
【０２４０】
表３１は、ただ１個の伝送ブロック（ＴＢ）が活性化された時、ダウンリンク制御情報（ＤＣＩ）フォーマット２Ｃで状態指示子を示す。
【０２４１】
【表３２】
0005907875.tif 000033
【０２４２】
表３２は、養子皆の伝送ブロック（ＴＢ）が活性化された時、ダウンリンク制御情報（ＤＣＩ）フォーマット２Ｃで状態指示子を示す。
【０２４３】
一実施形態において、新しい３ビットフィールド（アンテナポート（ＡＰ）指示子）は、ダウンリンク制御情報（ＤＣＩ）フォーマット２Ｃ １１００、１４００を構成するためにダウンリンク制御情報（ＤＣＩ）フォーマット２Ｂ １０００に追加される（すなわち、Ｎ３ビットフィールド１１１５またはＮ４ビットフィールド１４０５を追加する）。
【０２４４】
ただ１個の伝送ブロック（ＴＢ）が活性化された時、不活性化された伝送ブロック（ＴＢ）の新しいデータ指示子ＮＤＩビット及び新しい３ビットフィールドは、１６個のコードポイントを生成することができる。これは、１個の伝送ブロック（ＴＢ）に関連した１４個の状態を指示するために十分である。
【０２４５】
しかし、伝送ブロック（ＴＢ、ｔｒａｎｓｐｏｒｔ ｂｌｏｃｋ）の２個が共に活性化された時、３ビットフィールドは、ただ８個のコードポイント（ｃｏｄｅｐｏｉｎｔ）を生成する。これは、２個の伝送ブロック（ＴＢ）に関連した１０個の状態を示すために十分ではない。したがって、８個の状態が１０個の状態から脱して狭められた範囲で選択（ｄｏｗｎ−ｓｅｌｅｃｔｅｄ）される。このような目的を達成するために、２個のランク−２状態（または２個のアンテナポート（ＡＰ）インデックスを示すことと関連した状態）は、１０個の状態から除去される。２個の伝送ブロック（ＴＢ）と関連したランク−２状態は、状態４、５、１２そして１４を含む。スクランブリング識別子（ＳＣ ＩＤ）＝１を有する状態５は、除去されることができる。なぜなら、最大４個のユーザ装置（ＵＥ、Ｕｓｅｒ Ｅｑｕｉｐｍｅｎｔ）は、スクランブリング識別子（ＳＣ ＩＤ）を利用する準−直交多重化方法（ｑｕａｓｉ−ｏｒｔｈｏｇｏｎａｌ ｍｕｌｔｉｐｌｅｘｉｎｇ ｍｅｔｈｏｄ）によることの代わりに、ランク−４パターン４２０で４個の直交するＤＭ ＲＳが提供されることによって多重化されることができるからである。状態１４は、アンテナポート（ＡＰ）９及び１０を示す唯一の状態であるから、状態１４は、維持される。それでは、状態４または状態１２のうちいずれか１つの状態が選択されることができる。
【０２４６】
それでは、一実施形態において、ＤＭ ＲＳポートの完全なテーブル、ＤＭ ＲＳパターン及び関連したＤＭ ＲＳに対するスクランブリング識別子（ＳＣ ＩＤ）を示すために、ダウンリンク制御情報（ＤＣＩ）フォーマット２Ｃ １１００、１４００で新しい３ビットフィールド（アンテナポート（ＡＰ）指示子）（Ｎ３ビットフィールド１１１５またはＮ４ビットフィールド１４０５）は、１個の活性化された伝送ブロック（ＴＢ）と２個の活性化された伝送ブロック（ＴＢ）の場合を区分するダウンリンク制御情報（ＤＣＩ）フォーマット１１００、１４００からコードポイント（ｃｏｄｅｐｏｉｎｔ）と組み合わせられることができる。もし、活性化された伝送ブロック（ＴＢ）の数が１個であれば、それでは、このような３ビットフィールド１１１５は、３ビットフィールド１４０５を形成するために不活性化された伝送ブロック（ＴＢ）の新規データ指示子（ＮＤＩ、Ｎｅｗ ｄａｔａ ｉｎｄｉｃａｔｏｒ）ビットと組み合わせられることができる。このような組み合わせられた４ビットフィールド１４０５は、表３１に示されたような１４個の状態以外に１個の状態を示すために使用されることができる。もし、活性化された伝送ブロック（ＴＢ）の数が２個であれば、それでは、この３ビットフィールド１１１５は、表３３に示されたような状態テーブルを示すために使用されることができる。
【０２４７】
【表３３】
0005907875.tif 000034
【０２４８】
表３３は、４個の伝送（Ｔｘ）基地局（ｅＮｏｄｅＢ）に対するダウンリンク制御情報（ＤＣＩ）フォーマット２Ｃで状態指示（Ｓｔａｔｅ ｉｎｄｉｃａｔｉｏｎ）を示す。ここで、ランク−４パターンは、単一ユーザ及び多重ユーザ多重入力多重出力（ＳＵ−ＭＩＭＯ及びＭＵ−ＭＩＭＯ）の両方に対して使用される。
【０２４９】
状態指示子実施形態４：４個の伝送（Ｔｘ）基地局（ｅＮｏｄｅＢ）のためのダウンリンク制御情報（ＤＣＩ）フォーマット２Ｃ、ここで、ランク−４パターンは、単一ユーザ多重入力多重出力（ＳＵ−ＭＩＭＯ）及び多重ユーザ多重入力多重出力（ＭＵ−ＭＩＭＯ）の両方のために使用される（すなわち、バックグラウンドセクションでＭＵ−ＭＩＭＯ指示方法１）。
【０２５０】
４個の状態２０、２１、２２、２３は、ランク８パターンと関連した表２５の状態から減少することができる。表２５に示されたように、１個の伝送ブロック（ＴＢ）と関連した１４個の状態が存在し、一方、２個の伝送ブロック（ＴＢ）と関連した６個の状態が存在する。
【０２５１】
このような実施形態において、新しい３ビットフィールドアンテナポート（ＡＰ）指示子は、ダウンリンク制御情報（ＤＣＩ）フォーマット２Ｃ １１００、１４００を構成するために、ダウンリンク制御情報（ＤＣＩ）フォーマット２Ｂ １０００に追加される。すなわち、Ｎ３ビットフィールド１１１５またはＮ４ビットフィールド１４０５を追加する。
【０２５２】
ただ１個の伝送ブロック（ＴＢ）が活性化された時、不活性化された伝送ブロック（ＴＢ）の新しいデータ指示子ＮＤＩビット及び新しい３ビットフィールドは、１６個のコードポイントを生成することができる。これは、１個の伝送ブロック（ＴＢ）に関連した１４個の状態を指示するために十分である。
【０２５３】
２個の伝送ブロック（ＴＢ）が活性化された時、３ビットフィールドによって生成された８個のコードポイントは、６個のすべての関連した状態を指示するために十分である。
【０２５４】
それでは、このような実施形態において、ＤＭ ＲＳポートの完全なテーブル、ＤＭ ＲＳパターン及び関連したＤＭ ＲＳに対するスクランブリング識別子（ＳＣ ＩＤ）を示すために、ダウンリンク制御情報（ＤＣＩ）フォーマット２Ｃ １１００、１４００で新しい３ビットフィールド（アンテナポート（ＡＰ）指示子）（Ｎ３ビットフィールド１１１５またはＮ４ビットフィールド１４０５）は、１個の活性化された伝送ブロック（ＴＢ）及び２個の活性化された伝送ブロック（ＴＢ）の場合を区分するダウンリンク制御情報（ＤＣＩ）フォーマット１１００、１４００でコードポイント（ｃｏｄｅｐｏｉｎｔ）と組み合わせられることができる。もし、活性化された伝送ブロック（ＴＢ）の数が１個であれば、それでは、このような３ビットフィールド１１１５は、４ビットフィールドを形成するために不活性化された伝送ブロック（ＴＢ）の新規データ指示子（ＮＤＩ、Ｎｅｗ ｄａｔａ ｉｎｄｉｃａｔｏｒ）ビットと組み合わせられることができる。このような組み合わせられた４ビットフィールド１４０５は、表３１に示されたような１４個の状態以外に１個の状態を示すために使用されることができる。もし、活性化された伝送ブロック（ＴＢ）の数が２個であれば、それでは、この３ビットフィールド１１１５は、表３４に示されたような状態テーブルを示すために使用されることができる。
【０２５５】
【表３４】
0005907875.tif 000035
【０２５６】
表３４は、伝送ブロック（ＴＢ）の両方が活性化された時、ダウンリンク制御情報（ＤＣＩ）フォーマット２Ｃで状態指示を示す。
【０２５７】
一実施形態において、新しい２ビットフィールド（アンテナポート（ＡＰ）指示子）は、ダウンリンク制御情報（ＤＣＩ）フォーマット２Ｃ１１００、１４００を構成するためにダウンリンク制御情報（ＤＣＩ）フォーマット２Ｂ１０００に追加される（なわち、Ｎ３ビットフィールド１１１５またはＮ４ビットフィールド１４０５が追加される）。 
【０２５８】
ただ１個の伝送ブロック（ＴＢ）が活性化される場合において、不活性化された伝送ブロック（ＴＢ）の新しいデータ指示子（ＮＤＩ）ビット及び新しい２ビットフィールドは、ただ８個のコードポイントを生成することができる。このような８個のコードポイントは、１個の伝送ブロック（ＴＢ）に関連した１４個の状態を指示するために十分ではない。したがって、８個の状態が１４個の状態から脱して狭められた範囲で選択（ｄｏｗｎ−ｓｅｌｅｃｔｅｄ）される。スクランブリング識別子（ＳＣ ＩＤ）＝１を有する状態（状態１、３、７）は、除去されることができる。なぜなら、最大４個のユーザ装置（ＵＥ、Ｕｓｅｒ Ｅｑｕｉｐｍｅｎｔ）は、スクランブリング識別子（ＳＣ ＩＤ）を利用する準−直交多重化方法（ｑｕａｓｉ−ｏｒｔｈｏｇｏｎａｌ ｍｕｌｔｉｐｌｅｘｉｎｇ ｍｅｔｈｏｄ）によることの代わりに、ランク−４パターン４２０で４個の直交するＤＭ ＲＳが提供されることによって多重化されることができるからである。それでは、ランク３及びランク４と関連した再伝送状態が除去される。このような再伝送状態は、状態１７と状態１９である。伝送ブロック（ＴＢ）に対する再伝送がＬＴＥ−Ａｄｖａｎｃｅｄの４個の伝送（Ｔｘ）基地局（ｅＮｏｄｅＢ）の２個の階層より多い階層を使用する場合は存在しない。最後に、状態６、１３、及び１５である３個のランク２状態以外の１個の状態は、除去される。
【０２５９】
しかし、伝送ブロック（ＴＢ、ｔｒａｎｓｐｏｒｔ ｂｌｏｃｋ）の２個が共に活性化された時、２ビットフィールドは、ただ４個のコードポイント（ｃｏｄｅｐｏｉｎｔ）を生成する。これは、２個の伝送ブロック（ＴＢ）に関連した６個の状態を示すために十分ではない。したがって、４個の状態が６個の状態から脱して狭められた範囲で選択（ｄｏｗｎ−ｓｅｌｅｃｔｅｄ）される。状態指示実施形態３の２個の伝送ブロック（ＴＢ）の場合に対して使用される上述したような狭められた範囲の選択方法（ｄｏｗｎ−ｓｅｌｅｃｔｉｏｎ ｍｅｔｈｏｄ）が４個の状態を狭められた範囲で選択することに使用されることができる。
【０２６０】
一実施形態において、ＤＭ ＲＳポートの完全なテーブル、ＤＭ ＲＳパターン及び関連されたＤＭ ＲＳに対するスクランブリング識別子（ＳＣ ＩＤ）を示すために、ダウンリンク制御情報（ＤＣＩ）フォーマット２Ｃ １１００、１４００で新しい２ビットフィールド（アンテナポート（ＡＰ）指示子）（すなわち、Ｎ３ビットフィールド１１１５またはＮ４ビットフィールド１４０５）は、１個の活性化された伝送ブロック（ＴＢ）及び２個の活性化された伝送ブロック（ＴＢ）の場合を区分するダウンリンク制御情報（ＤＣＩ）フォーマット１１００、１４００からコードポイント（ｃｏｄｅｐｏｉｎｔ）と組み合わせられることができる。もし、活性化された伝送ブロック（ＴＢ）の数が１個であれば、それでは、このような２ビットフィールド１１１５は、３ビットフィールドを形成するために不活性化された伝送ブロック（ＴＢ）の新規データ指示子（ＮＤＩ、Ｎｅｗ ｄａｔａ ｉｎｄｉｃａｔｏｒ）ビットと組み合わせられることができる。このような組み合わせられた３ビットフィールドは、表３５に示されたような６個の状態以外に１個の状態を示すために使用されることができる。もし、活性化された伝送ブロック（ＴＢ）の数が２個であれば、それでは、この２ビットフィールド１１１５は、表３６に示されたような状態テーブルを示すために使用されることができる。
【０２６１】
【表３５】
0005907875.tif 000036
【０２６２】
表３５は、ただ１つの伝送ブロック（ＴＢ）が活性化された時、ダウンリンク制御情報（ＤＣＩ）フォーマット２Ｃの状態指示を示す。
【０２６３】
【表３６】
0005907875.tif 000037
【０２６４】
表３６は、２個の伝送ブロック（ＴＢ）が共に活性化された時、ダウンリンク制御情報（ＤＣＩ）フォーマット２Ｃの状態指示を示す。
【０２６５】
一実施形態において、単一ユーザ多重入力多重出力及び多重ユーザ単一入力多重出力（ＳＵ−ＭＩＭＯ及びＭＵ−ＭＩＭＯ）に対してランク−４パターンが使用された時、階層をＤＭ ＲＳポート（ｌａｙｅｒ−ｔｏ−ＤＭ ＲＳ ｐｏｒｔ）にマッピングすること（すなわち、バックグラウンドセクションで多重ユーザ多重入力多重出力（ＭＵ−ＭＩＭＯ）指示方法１が使用される）がそのような方法で定義される。
【０２６６】
ランク１が指示された時、１個の階層に対してＤＭ ＲＳ（階層０またはＬ０で示される）は、ダウンリンク制御情報（ＤＣＩ）フォーマット２Ｃ １１００、１４００によって指示されたアンテナポートのためのＤＭ ＲＳ ＲＥにマッピングされる。 
【０２６７】
ランク２が指示された時、２個の階層に対するＤＭ ＲＳ（階層０と１、または、Ｌ０とＬ１で示される）は、ダウンリンク制御情報（ＤＣＩ）フォーマット２Ｃ １１００、１４００によって指示された２個のアンテナポートのためのＤＭ ＲＳ ＲＥにマッピングされる。
【０２６８】
ランク１及びランク２に対する階層をＤＭ ＲＳにマッピングするテーブルの実施形態が表３７に示されたように構成される。
【０２６９】
【表３７】
0005907875.tif 000038
【０２７０】
表３７は、ランク−４パターンが単一ユーザ及び多重ユーザ多重入力多重出力（ＳＵ−ＭＩＭＯ及びＭＵ−ＭＩＭＯ）に使用される時、ランク１及びランク２のために階層をＤＭ ＲＳポートにマッピングする提案された方法を示す（すなわち、バックグラウンドセクションで多重ユーザ多重入力多重出力（ＭＵ−ＭＩＭＯ）指示方法１が使用される）。
【０２７１】
以上、実施形態を通じて本発明を説明したが、この技術分野における通常の知識を有する者によって多様な変更及び修正が提案されることができる。添付の請求範囲に範囲内のものなら、そのような変更及び修正は、本発明の権利範囲に属する。
【符号の説明】
【０２７２】
１００：無線ネットワーク
１０１：基地局
１０２：基地局
１０３：基地局
１１１：ＳＢ
１１２：Ｅ
１１３：ＨＳ
１１４：Ｒ
１１５：加入者端末
１１６：加入者端末
１３０：ＩＰネットワーク
２０５：チャネルコーディング及び変調ブロック
２１０：直列並列変換（Ｓ−ｔｏ−Ｐ）ブロック
２１５：逆高速フーリエ変換ブロック
２２０：並列直列変換（Ｐ−ｔｏ−Ｓ）ブロック
２２５：循環前置追加ブロック
２３０：アップコンバータ（ＵＣ）
２５５：ダウンコンバータ（ＤＣ）
２６０：循環前置除去ブロック
２６５：直列並列変換（Ｓ−ｔｏ−Ｐ）ブロック
２７０：高速フーリエ変換ブロック
２７５：並列直列変換（Ｐ−ｔｏ−Ｓ）ブロック
２８０：チャネルデコーディング及び復調ブロック
２９０：レファレンス信号多重化装置
２９５：レファレンス信号割り当て装置
３０５：アンテナ
３１０：ＲＦトランシーバ
３１５：伝送処理回路
３２０：マイクロフォン
３２５：受信処理回路
３３０：スピーカー
３４０：メインプロセッサ
３４５：入出力インターフェース（Ｉ／Ｏ ＩＦ）
３５０：キーパッド
３５５：ディスプレイ
３６０：メモリ
３６１：基本運営システムプログラム
３６２：アプリケーション
【図１】
0005907875.tif 000042
【図２Ａ】
0005907875.tif 000043
【図２Ｂ】
0005907875.tif 000044
【図３】
0005907875.tif 000045
【図４Ａ】
0005907875.tif 000046
【図４Ｂ】
0005907875.tif 000047
【図４Ｃ】
0005907875.tif 000048
【図４Ｄ】
0005907875.tif 000049
【図４Ｅ】
0005907875.tif 000050
【図５Ａ】
0005907875.tif 000051
【図５Ｂ】
0005907875.tif 000052
【図６】
0005907875.tif 000053
【図７Ａ】
0005907875.tif 000054
【図７Ｂ】
0005907875.tif 000055
【図８】
0005907875.tif 000056
【図９Ａ】
0005907875.tif 000057
【図９Ｂ】
0005907875.tif 000058
【図１０】
0005907875.tif 000059
【図１１】
0005907875.tif 000060
【図１２】
0005907875.tif 000061
【図１３】
0005907875.tif 000062
【図１４】
0005907875.tif 000063